(57)【要約】  ユーザの選局操作により映像音声信号入出力装置の受信部により受信される映像信号または音声信号のフォーマットが切り替わると、フォーマット決定部は出力フォーマットを決定する。出力フォーマット通信部は出力フォーマットを示すフォーマット情報を通信部を通して映像音声再生装置に送信する。変換部の出力フォーマットの切り替え後に、通信部が映像信号および音声信号を映像音声再生装置に送信する。映像音声再生装置の通信部がフォーマット情報を受信すると、フォーマット切替部がフォーマット情報に基づいて表示部の再生設定を切り替える。その後、通信部が映像信号および音声信号を受信すると、表示部が映像および音声を再生する。
2008069050.tif 000002
【特許請求の範囲】
【請求項１】
映像音声信号入出力装置および映像音声再生装置を備え、
前記映像音声信号入出力装置は、
映像信号および音声信号のうち少なくとも一方を含む信号を受信する受信部と、
前記受信部により受信された信号を復調する復調部と、
前記復調部により復調された信号を指示されたフォーマットに変換する変換部と、
前記受信部により受信される信号のフォーマットが変更された場合に前記映像音声再生装置に送信すべき信号のフォーマットを決定する決定部と、
前記決定部により決定されたフォーマットの情報および前記変換部により変換された信号を前記映像音声再生装置に送信する第１の通信部と、
前記決定部によるフォーマットの決定に応答して、前記決定部により決定されたフォーマットの情報を前記映像音声再生装置に送信するように前記第１の通信部を制御するとともに、前記決定部により決定されたフォーマットを前記変換部に指示し、前記変換部により変換された信号を前記映像音声再生装置に送信するように前記第１の通信部を制御する制御部とを含み、
前記映像音声再生装置は、
前記映像音声信号入出力装置から送信されるフォーマットの情報を受信した後、前記映像音声信号入出力装置から送信される信号を受信する第２の通信部と、
前記第２の通信部により受信された前記フォーマットの情報に基づいて信号の再生条件を設定する設定部と、
前記設定部により設定された再生条件で前記第２の通信部により受信された信号を再生する再生部とを含む、映像音声装置ネットワーク。
【請求項２】
前記決定部は、前記受信部により受信される信号の変更後のフォーマットおよび前記映像音声再生装置により再生可能なフォーマットに基づいて前記映像音声再生装置に送信すべき信号のフォーマットを決定する、請求項１記載の映像音声装置ネットワーク。
【請求項３】
前記映像音声信号入出力装置は、映像信号および音声信号のうち少なくとも一方を含む信号の供給源とフォーマットとの関係を予め記憶する記憶部をさらに含み、
前記制御部は、ユーザによる供給源の切り替え操作時に、前記記憶部から切り替え後の供給源に対応するフォーマットを予測フォーマットとして取り出し、予測フォーマットの情報を前記映像音声再生装置に送信するように前記第１の通信部を制御し、
前記映像音声再生装置の前記第２の通信部は、前記映像音声信号入出力装置から送信される予測フォーマットの情報を受信し、
前記設定部は、前記第２の通信部により受信された前記予測フォーマットの情報に基づいて信号の再生条件を設定した後、前記第２の通信部により受信された前記フォーマットの情報が前記予測フォーマットの情報と異なる場合に前記フォーマットの情報に基づいて信号の再生条件を再設定する、請求項１記載の映像音声装置ネットワーク。
【請求項４】
前記設定部は、前記第２の通信部により受信された前記予測フォーマットの情報に基づいて信号の再生条件を設定した後、前記第２の通信部により受信された前記フォーマットの情報が前記予測フォーマットの情報と同じ場合に前記予測フォーマットの情報に基づいて設定された再生条件を維持する、請求項３記載の映像音声装置ネットワーク。
【請求項５】
前記第１の通信部および前記第２の通信部の各々は、ＨＤＭＩ（High-Definition Multimedia Interface）規格に準拠し、
前記第１の通信部は、
前記変換部により変換された信号を前記映像音声再生装置に送信する信号送信部と、
前記決定部により決定されたフォーマットの情報を前記映像音声再生装置に送信する情報送信部とを含み、
前記第２の通信部は、
前記映像音声信号入出力装置から送信される信号を受信する信号受信部と、
前記映像音声信号入出力装置から送信されるフォーマットの情報を受信する情報受信部とを含み、
前記情報送信部および前記情報受信部は、ＣＥＣ（Consumer Electronics Contro1）線により接続される、請求項１記載の映像音声装置ネットワーク。
【請求項６】
映像音声再生装置に接続される映像音声信号入出力装置であって、
映像信号および音声信号のうち少なくとも一方を含む信号を受信する受信部と、
前記受信部により受信された信号を復調する復調部と、
前記復調部により復調された信号を指示されたフォーマットに変換する変換部と、
前記受信部により受信される信号のフォーマットが変更された場合に前記映像音声再生装置に送信すべき信号のフォーマットを決定する決定部と、
前記決定部により決定されたフォーマットの情報および前記変換部により変換された信号を前記映像音声再生装置に送信する通信部と、
前記決定部によるフォーマットの決定に応答して、前記決定部により決定されたフォーマットの情報を前記映像音声再生装置に送信するように前記通信部を制御するとともに、前記決定部により決定されたフォーマットを前記変換部に指示し、前記変換部により変換された信号を前記映像音声再生装置に送信するように前記通信部を制御する制御部とを備えた、映像音声信号入出力装置。
【請求項７】
映像信号および音声信号のうち少なくとも一方を含む信号のフォーマットの情報を送信した後に前記信号を送信する映像音声信号入出力装置に接続される映像音声再生装置であって、
前記映像音声信号入出力装置から送信されるフォーマットの情報を受信した後、前記映像音声信号入出力装置から送信される信号を受信する通信部と、
前記通信部により受信された前記フォーマットの情報に基づいて信号の再生条件を設定する設定部と、
前記設定部により設定された再生条件で前記通信部により受信された信号を再生する再生部とを備えた、映像音声再生装置。
【請求項８】
映像音声信号入出力装置から送信される映像信号および音声信号のうち少なくとも一方を含む信号を映像音声再生装置において再生する信号再生方法であって、
前記映像音声信号入出力装置において、映像信号および音声信号のうち少なくとも一方を含む信号を受信するステップと、
前記映像音声信号入出力装置において、前記受信された信号を復調するステップと、
前記映像音声信号入出力装置において、前記復調された信号を指示されたフォーマットに変換するステップと、
前記映像音声信号入出力装置において、前記受信される信号のフォーマットが変更された場合に前記映像音声再生装置に送信すべき信号のフォーマットを決定するステップと、
前記映像音声信号入出力装置において、前記フォーマットの決定に応答して、前記決定されたフォーマットの情報を前記映像音声再生装置に送信するステップと、
前記映像音声信号入出力装置において、前記変換された信号を前記映像音声再生装置に送信するステップと、
前記映像音声再生装置において、前記映像音声信号入出力装置から送信されるフォーマットの情報を受信するステップと、
前記映像音声再生装置において、前記受信された前記フォーマットの情報に基づいて信号の再生条件を設定するステップと、
前記映像音声再生装置において、前記映像音声信号入出力装置から送信される信号を受信するステップと、
前記映像音声再生装置において、前記設定された再生条件で前記受信された信号を再生するステップとを含む、信号再生方法。
【発明の詳細な説明】
【技術分野】
【０００１】
本発明は、映像信号および音声信号の入出力を行う映像音声信号入出力装置、映像信号に基づく映像表示および音声信号に基づく音声出力を行う映像音声再生装置、相互に接続された映像音声信号入出力装置および映像音声再生装置を含む映像音声装置ネットワーク、ならびに信号再生方法に関する。
【背景技術】
【０００２】
近年の映像信号のデジタル化の進展により、映像音声装置において複数の映像および音声フォーマットが使用されており、これら複数の映像および音声フォーマットに適合した映像音声装置も増加している。映像音声装置の例としては、テレビジョン受信機またはプロジェクタ等の映像音声再生装置（以下、再生装置と略記する）、およびデジタル放送受信用セットトップボックスまたはＤＶＤ（デジタルバーサタイルディスク）レコーダ等の映像音声信号入出力装置（以下、入出力装置と略記する）等が挙げられる。また、新たな映像および音声フォーマットの提唱も継続して行われており、映像音声装置が適合する映像および音声フォーマットは今後も増加していくものと考えられる。【０００３】
以下、単にフォーマットというときは、映像フォーマットおよび音声フォーマットの両方または一方を指すものとする。【０００４】
現在、使用されている映像フォーマットとしては、例えば４８０ｉ、４８０ｐ、５７６ｉ、５７６ｐ、７２０ｐおよび１０８０ｉ等が挙げられる。ここで、“ｉ”はインターレース方式を表し、“ｐ”はプログレッシブ方式を表す。音声フォーマットとしては、ＡＡＣ（Advanced Audio Coding）、ＰＣＭ（Pulse Code Modulation）およびＡＣ３（Audio Code number 3）、Ｍｐｅｇ（Moving Picture Experts Group）等が挙げられる。しかし、すべての映像音声装置がすべてのフォーマットに適合しているわけではない。【０００５】
このため、入出力装置を再生装置に接続し、入出力装置から再生装置に映像信号および音声信号を送信する際には、各入出力装置が出力可能なフォーマットと再生装置が受信および再生可能なフォーマットとを比較し、使用するフォーマットを設定するという機器設定作業が行われる。【０００６】
この機器設定作業としては、機器設定メニュー等を用いてユーザ操作によって使用可能なフォーマットを決定する場合と、入出力装置および再生装置の各々が自動的に送受信可能なフォーマットを示す情報を交替して、入出力装置と再生装置との間で使用可能なフォーマットを決定するような場合とがある。【０００７】
機器設定作業を行った結果として複数のフォーマットが使用可能なフォーマットとして設定された場合には、入出力装置での選局操作または再生コンテンツの切り替え等により、入出力装置から出力されるフォーマットが切り替えられる場合がある。【０００８】
これは、例えば次のような場合を指す。入出力装置および再生装置で４８０ｉおよび１０８０ｉが使用可能な映像フォーマットとして設定されている。また、テレビ放送の１つの放送チャネルの映像が４８０ｉの映像フォーマットで放送されている。このような状態で、他の異なる放送チャネルが選局されたときに、選局後の放送チャネルが１０８０ｉの映像フォーマットで放送されている。この場合、入出力装置から出力される４８０ｉの映像フォーマットが１０８０ｉの映像フォーマットに切り替えられる。【０００９】
しかしながら、従来の入出力装置と再生装置との間での信号の送受信においては、このようなフォーマットの切り替えが発生した場合に、視聴者による選局操作の実施から入出力装置での選局処理およびフォーマットの切り替え後に再生装置において映像が表示されるまでの時間が一般的に長く、１秒から数秒を必要とする。【００１０】
図９は従来の映像音声信号入出力装置および映像音声再生装置におけるフォーマットの切替時の動作を示すフローチャートである。【００１１】
例えば放送受信の場合には、視聴者がリモコン等により選局操作を行ったときに、まず入出力装置が放送チャネルの選局処理を行う（ステップＳ１）。入出力装置は、放送信号の入力後に、映像信号のフォーマットを検知し（ステップＳ２）、映像信号の出力フォーマットの切り替えを行う（ステップＳ３）。その後に、入出力装置は映像信号の出力を開始する（ステップＳ４）。【００１２】
再生装置は、入出力装置からの映像信号を受信すると、映像信号のフォーマットの切り替えを検知し（ステップＳ５）、切り替え後のフォーマットで映像を表示するために表示解像度切り替えおよび表示位置の調整を行う（ステップＳ６）。その後に、再生装置は映像表示を開始する（ステップＳ７）。このように、複数の装置による一連の処理が発生する。そのため、選局操作の実施から映像が表示されるまでの時間が長くなる。【００１３】
上記のフォーマットの切り替え処理は、選局操作時だけでなく入出力装置が再生可能なＤＶＤ等のメディアの再生開始時、またはＨＤＤ（ハードディスクドライブ）に録画されたコンテンツの再生時のように再生するコンテンツのフォーマットが切り替わるときには常に発生しうる。【００１４】
このため、視聴者は選局操作および視聴メディアの切り替えごとに、入出力装置および再生装置のフォーマットの切り替え処理を待たなくてはならず、選局操作等をスムーズに行うことができない。【００１５】
特許文献１に、フォーマット切り替え処理を行う画像表示装置が記載されている。特許文献１の画像表示装置では、受信されたデジタル信号に含まれている表示関連情報を抽出し、この表示関連情報に応答して表示モードを自動設定するとともに、ユーザによる表示モードの設定指示があった場合にユーザによる設定指示に従って表示モードを設定する。
【特許文献１】特開２００６-１０８７５０号公報
【発明の開示】
【発明が解決しようとする課題】
【００１６】
上記のように、入出力装置および再生装置のように複数の映像および音声フォーマットに適合した２つ以上の映像音声装置を接続して映像音声コンテンツを視聴する場合、フォーマットの切り替えが発生する選局またはコンテンツの切り替えを行ったときに、複数の映像音声装置がフォーマットを切り替える必要がある。そのため、切り替え時間が長くなり、視聴者にとって好ましいものではなかった。【００１７】
本発明の目的は、映像音声信号入出力装置と映像音声再生装置との間でのフォーマットの切り替えに要する時間を短縮することが可能な映像音声装置ネットワークを提供することである。【００１８】
本発明の他の目的は、映像音声再生装置に接続された状態で、信号のフォーマットの切り替えが発生した場合に映像音声再生装置におけるフォーマットの切り替えに要する時間を短縮することが可能な映像音声信号入出力装置を提供することである。【００１９】
本発明のさらに他の目的は、映像音声信号入出力装置に接続された状態で、信号のフォーマットの切り替えに要する時間を短縮することが可能な映像音声再生装置を提供することである。【００２０】
本発明のさらに他の目的は、映像音声信号入出力装置と映像音声再生装置との間でのフォーマットの切り替えに要する時間を短縮することが可能な信号再生方法を提供することである。
【課題を解決するための手段】
【００２１】
（１）  本発明の一局面に従う映像音声装置ネットワークは、映像音声信号入出力装置および映像音声再生装置を備え、映像音声信号入出力装置は、映像信号および音声信号のうち少なくとも一方を含む信号を受信する受信部と、受信部により受信された信号を復調する復調部と、復調部により復調された信号を指示されたフォーマットに変換する変換部と、受信部により受信される信号のフォーマットが変更された場合に映像音声再生装置に送信すべき信号のフォーマットを決定する決定部と、決定部により決定されたフォーマットの情報および変換部により変換された信号を映像音声再生装置に送信する第１の通信部と、決定部によるフォーマットの決定に応答して、決定部により決定されたフォーマットの情報を映像音声再生装置に送信するように第１の通信部を制御するとともに、決定部により決定されたフォーマットを変換部に指示し、変換部により変換された信号を映像音声再生装置に送信するように第１の通信部を制御する制御部とを含み、映像音声再生装置は、映像音声信号入出力装置から送信されるフォーマットの情報を受信した後、映像音声信号入出力装置から送信される信号を受信する第２の通信部と、第２の通信部により受信されたフォーマットの情報に基づいて信号の再生条件を設定する設定部と、設定部により設定された再生条件で第２の通信部により受信された信号を再生する再生部とを含むものである。【００２２】
その映像音声装置ネットワークの映像音声信号入出力装置においては、受信部により映像信号および音声信号のうち少なくとも一方を含む信号が受信され、受信された信号が復調部により復調され、復調された信号が指示されたフォーマットに変換部により変換される。また、受信される信号のフォーマットが変更された場合に映像音声再生装置に送信すべき信号のフォーマットが決定部により決定される。フォーマットの決定に応答して、決定されたフォーマットの情報を映像音声再生装置に送信するように第１の通信部が制御部により制御されるとともに、決定されたフォーマットが変換部に指示され、変換された信号を映像音声再生装置に送信するように第１の通信部が制御される。【００２３】
映像音声再生装置においては、映像音声信号入出力装置から送信されるフォーマットの情報が第２の通信部により受信される。受信されたフォーマットの情報に基づいて信号の再生条件が設定部により設定される。その後、映像音声信号入出力装置から送信される信号が第２の通信部により受信される。設定された再生条件で受信された信号が再生部により再生される。【００２４】
このように、映像音声信号入出力装置から送信される信号のフォーマットが決定された時点で映像音声再生装置にフォーマットの情報が送信され、映像音声再生装置でそのフォーマットの情報に基づいて再生条件の設定が開始される。それにより、映像音声再生装置では、映像音声信号入出力装置から送信される信号を受信した時点でその信号を直ちに再生することができる。【００２５】
したがって、映像音声信号入出力装置と映像音声再生装置との間でのフォーマットの切り替えに要する時間を短縮することが可能となる。【００２６】
（２）  決定部は、受信部により受信される信号の変更後のフォーマットおよび映像音声再生装置により再生可能なフォーマットに基づいて映像音声再生装置に送信すべき信号のフォーマットを決定してもよい。【００２７】
この場合、映像音声再生装置において、映像音声信号入出力装置から送信される信号を確実に再生することができる。【００２８】
（３）  映像音声信号入出力装置は、映像信号および音声信号のうち少なくとも一方を含む信号の供給源とフォーマットとの関係を予め記憶する記憶部をさらに含み、制御部は、ユーザによる供給源の切り替え操作時に、記憶部から切り替え後の供給源に対応するフォーマットを予測フォーマットとして取り出し、予測フォーマットの情報を映像音声再生装置に送信するように第１の通信部を制御し、映像音声再生装置の第２の通信部は、映像音声信号入出力装置から送信される予測フォーマットの情報を受信し、設定部は、第２の通信部により受信された予測フォーマットの情報に基づいて信号の再生条件を設定した後、第２の通信部により受信されたフォーマットの情報が予測フォーマットの情報と異なる場合にフォーマットの情報に基づいて信号の再生条件を再設定してもよい。【００２９】
この場合、映像音声信号入出力装置において、ユーザによる供給源の切り替え操作時に、制御部により記憶部から切り替え後の供給源に対応するフォーマットが予測フォーマットとして取り出される。そして、予測フォーマットの情報を映像音声再生装置に送信するように第１の通信部が制御部により制御される。【００３０】
一方、映像音声再生装置において、映像音声信号入出力装置から送信される予測フォーマットの情報が第２の通信部により受信される。そして、受信された予測フォーマットの情報に基づいて信号の再生条件が設定部により設定される。その後、受信されたフォーマットの情報が予測フォーマットの情報と異なる場合には、フォーマットの情報に基づいて信号の再生条件が設定部により再設定される。【００３１】
それにより、映像音声信号入出力装置から送信される予測フォーマットの情報が受信された時点で映像音声再生装置でその予測フォーマットの情報に基づいて再生条件の設定が開始される。映像音声再生装置では、映像音声信号入出力装置から送信される信号を受信した時点でその信号を直ちに再生することができる。【００３２】
したがって、映像音声信号入出力装置と映像音声再生装置との間でのフォーマットの切り替えに要する時間をさらに短縮することが可能となる。【００３３】
（４）  設定部は、第２の通信部により受信された予測フォーマットの情報に基づいて信号の再生条件を設定した後、第２の通信部により受信されたフォーマットの情報が予測フォーマットの情報と同じ場合に予測フォーマットの情報に基づいて設定された再生条件を維持してもよい。【００３４】
この場合、受信されたフォーマットの情報が予測フォーマットの情報と同じ場合には予測フォーマットの情報に基づいて設定された再生条件が維持される。それにより、映像音声再生装置では、映像音声信号入出力装置から送信される信号を受信した時点でその信号を直ちに再生することができる。【００３５】
したがって、映像音声信号入出力装置と映像音声再生装置との間でのフォーマットの切り替えに要する時間をさらに短縮することが可能となる。【００３６】
（５）  第１の通信部および第２の通信部の各々は、ＨＤＭＩ（High-Definition Multimedia Interface）規格に準拠し、第１の通信部は、変換部により変換された信号を映像音声再生装置に送信する信号送信部と、決定部により決定されたフォーマットの情報を映像音声再生装置に送信する情報送信部とを含み、第２の通信部は、映像音声信号入出力装置から送信される信号を受信する信号受信部と、映像音声信号入出力装置から送信されるフォーマットの情報を受信する情報受信部とを含み、情報送信部および情報受信部は、ＣＥＣ（Consumer Electronics Contro1）線により接続されてもよい。【００３７】
この場合、映像音声信号入出力装置から映像音声再生装置に映像信号および音声信号の少なくとも一方を含む信号およびフォーマットの情報を容易に送信することができる。【００３８】
（６）  本発明の他の局面に従う映像音声信号入出力装置は、映像音声再生装置に接続される映像音声信号入出力装置であって、映像信号および音声信号のうち少なくとも一方を含む信号を受信する受信部と、受信部により受信された信号を復調する復調部と、復調部により復調された信号を指示されたフォーマットに変換する変換部と、受信部により受信される信号のフォーマットが変更された場合に映像音声再生装置に送信すべき信号のフォーマットを決定する決定部と、決定部により決定されたフォーマットの情報および変換部により変換された信号を映像音声再生装置に送信する通信部と、決定部によるフォーマットの決定に応答して、決定部により決定されたフォーマットの情報を映像音声再生装置に送信するように通信部を制御するとともに、決定部により決定されたフォーマットを変換部に指示し、変換部により変換された信号を映像音声再生装置に送信するように通信部を制御する制御部とを備えたものである。【００３９】
その映像音声信号入出力装置においては、受信部により映像信号および音声信号のうち少なくとも一方を含む信号が受信され、受信された信号が復調部により復調され、復調された信号が指示されたフォーマットに変換部により変換される。また、受信される信号のフォーマットが変更された場合に映像音声再生装置に送信すべき信号のフォーマットが決定部により決定される。フォーマットの決定に応答して、決定されたフォーマットの情報を映像音声再生装置に送信するように通信部が制御部により制御されるとともに、決定されたフォーマットが変換部に指示され、変換された信号を映像音声再生装置に送信するように通信部が制御される。【００４０】
このように、映像音声信号入出力装置から送信される信号のフォーマットが決定された時点で映像音声再生装置にフォーマットの情報が送信され、映像音声再生装置でそのフォーマットの情報に基づいて再生条件の設定が開始される。それにより、映像音声再生装置では、映像音声信号入出力装置から送信される信号を受信した時点でその信号を直ちに再生することができる。【００４１】
したがって、映像音声信号入出力装置が映像音声再生装置に接続された状態で、信号のフォーマットの切り替えが発生した場合に映像音声再生装置におけるフォーマットの切り替えに要する時間を短縮することが可能となる。【００４２】
（７）  本発明のさらに他の局面に従う映像音声再生装置は、映像信号および音声信号のうち少なくとも一方を含む信号のフォーマットの情報を送信した後に信号を送信する映像音声信号入出力装置に接続される映像音声再生装置であって、映像音声信号入出力装置から送信されるフォーマットの情報を受信した後、映像音声信号入出力装置から送信される信号を受信する通信部と、通信部により受信されたフォーマットの情報に基づいて信号の再生条件を設定する設定部と、設定部により設定された再生条件で通信部により受信された信号を再生する再生部とを備えたものである。【００４３】
その映像音声再生装置においては、映像音声信号入出力装置から送信されるフォーマットの情報が通信部により受信される。受信されたフォーマットの情報に基づいて信号の再生条件が設定部により設定される。その後、映像音声信号入出力装置から送信される信号が通信部により受信される。設定された再生条件で受信された信号が再生部により再生される。【００４４】
このように、映像音声信号入出力装置から送信されるフォーマットの情報が受信された時点で映像音声再生装置でそのフォーマットの情報に基づいて再生条件の設定が開始される。それにより、映像音声再生装置では、映像音声信号入出力装置から送信される信号を受信した時点でその信号を直ちに再生することができる。【００４５】
したがって、映像音声信号入出力装置に接続された状態で、信号のフォーマットの切り替えに要する時間を短縮することが可能となる。【００４６】
（８）  本発明のさらに他の局面に従う信号再生方法は、映像音声信号入出力装置から送信される映像信号および音声信号のうち少なくとも一方を含む信号を映像音声再生装置において再生する信号再生方法であって、映像音声信号入出力装置において、映像信号および音声信号のうち少なくとも一方を含む信号を受信するステップと、映像音声信号入出力装置において、受信された信号を復調するステップと、映像音声信号入出力装置において、復調された信号を指示されたフォーマットに変換するステップと、映像音声信号入出力装置において、受信される信号のフォーマットが変更された場合に映像音声再生装置に送信すべき信号のフォーマットを決定するステップと、映像音声信号入出力装置において、フォーマットの決定に応答して、決定されたフォーマットの情報を映像音声再生装置に送信するステップと、映像音声信号入出力装置において、変換された信号を映像音声再生装置に送信するステップと、映像音声再生装置において、映像音声信号入出力装置から送信されるフォーマットの情報を受信するステップと、映像音声再生装置において、受信されたフォーマットの情報に基づいて信号の再生条件を設定するステップと、映像音声再生装置において、映像音声信号入出力装置から送信される信号を受信するステップと、映像音声再生装置において、設定された再生条件で受信された信号を再生するステップとを含むものである。【００４７】
その信号再生方法によれば、映像音声信号入出力装置において映像信号および音声信号のうち少なくとも一方を含む信号が受信され、受信された信号が復調され、復調された信号が指示されたフォーマットに変換される。また、受信される信号のフォーマットが変更された場合に映像音声再生装置に送信すべき信号のフォーマットが決定される。フォーマットの決定に応答して、決定されたフォーマットの情報が映像音声再生装置に送信され、変換された信号が映像音声再生装置に送信される。【００４８】
映像音声再生装置においては、映像音声信号入出力装置から送信されるフォーマットの情報が受信される。受信されたフォーマットの情報に基づいて信号の再生条件が設定される。その後、映像音声信号入出力装置から送信される信号が受信される。設定された再生条件で受信された信号が再生される。【００４９】
このように、映像音声信号入出力装置から送信される信号のフォーマットが決定された時点で映像音声再生装置にフォーマットの情報が送信され、映像音声再生装置でそのフォーマットの情報に基づいて再生条件の設定が開始される。それにより、映像音声再生装置では、映像音声信号入出力装置から送信される信号を受信した時点でその信号を直ちに再生することができる。【００５０】
したがって、映像音声信号入出力装置と映像音声再生装置との間でのフォーマットの切り替えに要する時間を短縮することが可能となる。
【発明の効果】
【００５１】
本発明によれば、映像音声信号入出力装置と映像音声再生装置との間でのフォーマットの切り替えに要する時間を短縮することが可能となる。
【図面の簡単な説明】
【００５２】
【図１】図１は本発明の第１の実施の形態に係る映像音声信号入出力装置および映像音声再生装置の構成を示すブロック図
【図２】図２は第１の実施の形態に係る入出力装置と再生装置との具体的な接続方法を示すブロック図
【図３】図３は第１の実施の形態に係る再生装置が保有するフォーマット情報を簡略化して示す図
【図４】図４は入出力装置から再生装置に送信されるフォーマット情報の一例を示す模式図
【図５】図５は第１の実施の形態に係る映像音声装置ネットワークにおける入出力装置および再生装置の処理手順を示すフローチャート
【図６】図６は本発明の第２の実施の形態に係る映像音声信号入出力装置および映像音声再生装置の構成を示すブロック図
【図７】図７は出力フォーマット記憶部に記憶されるフォーマット情報リストの一例を示す模式図
【図８】図８は第２の実施の形態に係る映像音声装置ネットワークにおける入出力装置および再生装置の処理手順を示すフローチャート
【図９】図９は従来の映像音声信号入出力装置および映像音声再生装置におけるフォーマットの切替時の動作を示すフローチャート
【発明を実施するための最良の形態】
【００５３】
以下、本発明の実施の形態に係る映像音声信号入出力装置、映像音声再生装置、
およびこれらを用いた映像音声装置ネットワークならびに信号再生方法について説明する。【００５４】
（１）第１の実施の形態
図１は本発明の第１の実施の形態に係る映像音声信号入出力装置および映像音声再生装置の構成を示すブロック図である。以下、映像音声信号入出力装置１００を入出力装置１００と略記し、映像音声再生装置１５０を再生装置１５０と略記する。【００５５】
なお、本実施の形態では、１台の入出力装置１００と１台の再生装置１５０とが互いに接続される。ここでは、このように２台以上の映像音声装置が相互に接続された状態を映像音声装置ネットワークと呼ぶ。また、映像フォーマットおよび音声フォーマットの一方または両方を単にフォーマットと称する。【００５６】
入出力装置１００は、受信部１０１、復調部１０２、変換部１０３、通信部１０４、ＣＰＵ（中央演算処理装置）１０５、フォーマット決定部（図１ではＦＭＴ決定部と表示する）１０６および出力フォーマット通信部（図１では出力ＦＭＴ通信部と表示する）１０７を含む。【００５７】
放送電波は、アンテナにより受信され、放送信号が受信部１０１に入力される。受信部１０１は、入力される放送信号からＣＰＵ１１０により指定された放送チャンネル（以下、チャネルと略記する）の周波数信号を取得する。【００５８】
復調部１０２は、受信部１０１から出力される周波数信号から映像信号、音声信号および番組に関する情報等を取得し、それらの映像信号、音声信号および番組に関する情報等をそれぞれデジタルの映像信号、デジタルの音声信号およびデジタルの情報等に復調する。【００５９】
変換部１０３は、復調部１０２により復調されたデジタルの映像信号および音声信号のフォーマットを任意のフォーマットに変換する。例えば、復調部１０２により復調された映像信号が１０８０ｉのフォーマットを有する場合に、変換部１０３は映像信号のフォーマットを４８０ｉのフォーマットに変換する。また、例えば、復調部１０２により復調された音声信号がＡＣ３のフォーマットを有する場合に、変換部１０３は音声信号のフォーマットをＰＣＭのフォーマットに変換する。【００６０】
通信部１０４は、外部装置と通信を行う際に信号の変換および信号の送受信を行う。この通信部１０４は、外部端子を通して接続された外部装置に対して映像信号、音声信号およびデータ信号の通信を行う。【００６１】
ＣＰＵ１０５は、入出力装置１００の全体のシステムを管理するマイクロコンピュータであり、各部の動作およびメッセージの送受信を制御する。【００６２】
フォーマット決定部１０６は、復調部１０２により復調された番組に関する情報から映像および音声を再生するために必要なフォーマットを示すフォーマット情報を抽出する。フォーマット情報は、画面解像度およびクロック周波数等を含む。映像フォーマットは、例えば、４８０ｉ/６０Ｈｚ（７２０×４８０ピクセル、インターレース方式および６０Ｈｚ）等である。音声フォーマットは、例えば、ＡＣ３およびＰＣＭ等である。【００６３】
また、フォーマット決定部１０６は、再生装置１５０が再生可能なフォーマットに関する情報を通信部１０４を介して取得することができる。フォーマット決定部１０６は、取得した再生可能なフォーマットに関する情報と再生されるべき映像信号または音声信号のフォーマットとを比較し、実際に出力する映像信号または音声信号のフォーマットを出力フォーマットとして決定するとともに、変換部１０３の出力フォーマットを切り替える。それにより、入出力装置１００から接続先の再生装置１５０に出力される映像信号または音声信号のフォーマットが決定される。【００６４】
出力フォーマット通信部１０７は、再生装置１５０と通信部１０４を通して通信することが可能である。特に、出力フォーマット通信部１０７は、フォーマット決定部１０６により決定された出力フォーマットをフォーマット決定部１０６から受け取り、その出力フォーマットを示すフォーマット情報を再生装置１５０に送信する。また、出力フォーマット通信部１０７は、接続先の再生装置１５０からの後述する切替完了通知等の信号を受信することができる。【００６５】
このように、入出力装置１００では、選局操作により選択されたチャネルの周波数信号が受信部１０１により抽出され、抽出された周波数信号が復調部１０２によりデジタルの映像信号および音声信号に復調される。さらに、映像信号および音声信号が変換部１０３により所定の出力フォーマットに変換され、変換された出力フォーマットを有する映像信号および音声信号が通信部１０４を通して再生装置１５０に出力される。【００６６】
再生装置１５０は、通信部１５１、表示部１５２、入力フォーマット通信部（図１では入力ＦＭＴ通信部と表示する）１５３、およびフォーマット切替部（図１ではＦＭＴ切替部と表示する）１５４を含む。【００６７】
通信部１５１は、外部装置と映像信号および音声信号の送受信を行う。表示部１５２は、通信部１５１により受信された映像信号および音声信号を映像および音声として再生する。【００６８】
入力フォーマット通信部１５３は、入出力装置１００に対して通信部１５１を通してフォーマット情報およびコマンドを通信する。【００６９】
フォーマット切替部１５４は、入力フォーマット通信部１５３により取得されたフォーマット情報に基づいて表示部１５２の再生設定を切り替える。ここで、再生設定は、映像表示の設定および音声出力の設定を含む。【００７０】
図２は第１の実施の形態に係る入出力装置と再生装置との具体的な接続方法を示すブロック図である。以下、接続方法の一例として、ＨＤＭＩ（High-Definition Multimedia Interface）規格に準拠した接続方法を説明する。【００７１】
ＨＤＭＩ規格は２００２年１２月に策定された規格である。このＨＤＭＩ規格によれば、デジタルデータ以外に付帯情報の入出力を行うことが可能である。【００７２】
図２の例では、入出力装置１００の通信部１０４がＨＤＭＩ送信部からなる。この場合、通信部１０４は、ＨＤＭＩトランスミッタ２１１およびＣＥＣ（Consumer Electronics Contro1）通信制御部２１２により構成される。【００７３】
また、再生装置１５０の通信部１５１は、ＨＤＭＩ受信部からなる。この場合、通信部１５１は、ＨＤＭＩレシーバ２５１およびＣＥＣ通信制御部２５２により構成される。【００７４】
通信部１０４は、映像信号および音声信号を出力するためのＴＭＤＳ（Transition Minimized Differential Signaling）規格に準拠するＴＭＤＳ信号線、設定情報およびステータス情報を送受信するためのＤＤＣ（Display Data Channe1）信号線、およびＣＥＣ（Consumer Electronics Contro1）信号線を外部装置との接続のために有する。本例では、入出力装置１００の通信部１０４と再生装置１５０の通信部１５１とがＴＭＤＳ信号線、ＤＤＣ信号線およびＣＥＣ信号線により接続される。以下、映像信号および音声信号を映像音声信号と総称する。【００７５】
まず、ＴＭＤＳ信号線を経由した映像音声信号の流れについて説明する。【００７６】
入出力装置１００の通信部１０４のＨＤＭＩトランスミッタ２１１は、変換部１０３から出力される映像音声信号を受信し、受信した映像音声信号をＴＭＤＳ信号線に出力する。このときに出力される映像音声信号のフォーマットはＣＰＵ１０５により指示される。【００７７】
ＴＭＤＳ信号線に出力された映像音声信号は、再生装置１５０の通信部１５１のＨＤＭＩレシーバ２５１により受信され、表示部１５２により映像および音声として再生される。【００７８】
次に、ＤＤＣ信号線は、設定情報およびステータス情報を送受信するために用いられる。ＤＤＣ信号線を介して送信される情報の一つとしてＥＤＩＤ（Extended display identification data）情報がある。【００７９】
ＥＤＩＤ情報は、テレビジョン受信機またはディスプレイ等の映像音声再生装置が内部に保有するデータを意味し、ＥＤＩＤ情報を保有する映像音声再生装置が再生可能なフォーマットを定義している。【００８０】
ＥＤＩＤ情報内に再生装置１５０が画面に表示可能または入力可能な映像フォーマットが“Detailed timing data descriptor”および“Short video descriptor”により記述されている。【００８１】
図３は第１の実施の形態に係る再生装置が保有するフォーマット情報を簡略化して示す図である。本例のフォーマット情報は、映像フォーマットに関する情報である。再生装置１５０が音声フォーマットに関する情報を保有してもよい。【００８２】
図３に示すように、ＥＤＩＤ情報は、画面の水平方向のピクセル数、画面の垂直方向のピクセル数、走査方式（プログレッシブ方式またはインターレース方式）、水平周波数および画面のアスペクト比を含む。【００８３】
図３のＥＤＩＤ情報は、４８０ｉ、４８０ｐおよび１０８０ｉを含む。このＥＤＩＤ情報は、本実施の形態の再生装置１５０が４８０ｉ、４８０ｐおよび１０８０ｉの映像フォーマットを受信および再生可能であることを示している。また、音声フォーマット情報も、同様に、ＥＩＡ/ＣＥＡ-８６１Ｂ規格で定められたフォーマットで記載されている。【００８４】
次に、ユーザの選局操作に従って入出力装置１００が選局処理を行うことによりフォーマットの切り替えが発生した場合における入出力装置１００および再生装置１５０の処理手順を説明する。【００８５】
図４は入出力装置から再生装置に送信されるフォーマット情報の一例を示す模式図である。【００８６】
図４のフォーマット情報は、水平ピクセル数、垂直ピクセル数、走査方式（プログレッシブ方式またはインターレース方式）、水平周波数および画面のアスペクト比を含む。  本例では、７２０×４８０ピクセル、インターレース方式、６０Ｈｚおよび４：３の映像フォーマットで入出力装置１００から映像信号が出力されることが再生装置１５０に通知される。【００８７】
なお、図４の例では、フォーマット情報が映像フォーマットを含むが、フォーマット情報が同様に音声フォーマットを含んでもよい。【００８８】
本実施の形態においては、フォーマット情報はＨＤＭＩ接続のＣＥＣ信号線を通して入出力装置１００から再生装置１５０に送信される。その場合、図４のフォーマット情報は、ＨＤＭＩ規格におけるＣＥＣ通信に関して規定されたＣＥＣ規格における“Vendor Unique”コマンドを使用して通信することが可能である。【００８９】
図５は第１の実施の形態に係る映像音声装置ネットワークにおける入出力装置および再生装置の処理手順を示すフローチャートである。【００９０】
ここでは、選局操作によりフォーマットの切り替えが発生した場合に、入出力装置１００の通信部１０４から出力されるべきフォーマットが決定され、再生装置１５０にフォーマット情報が送信された後、映像音声信号が出力され、再生装置１５０により映像表示および音声出力が行われるまでの処理手順が示される。【００９１】
まず、ユーザがリモコンまたはフロントパネルを用いた選局操作により入出力装置１００に選局処理を指示すると（イベントＥ１）、入出力装置１００の受信部１０１は選局処理を行う（ステップＳ５０１）。【００９２】
受信部１０１には放送信号が入力される（イベントＥ２）。選局処理により所望のチャネルが選局されると、受信部１０１により放送信号からそのチャネルの周波数信号が抽出され、抽出された周波数信号から復調部１０２により映像音声信号およびその他の情報の取得が開始される。この場合、復調部１０２は、再生しようとする映像音声信号の取得の際に、その映像音声信号に対応するフォーマット情報を取得する（ステップＳ５０２）。【００９３】
フォーマット決定部１０６は、フォーマット情報に基づいて、取得された映像音声信号のフォーマットを識別し、識別された映像音声信号のフォーマットが現在接続されている再生装置１５０により再生可能であるか否かを判定し、入出力装置１００から出力する映像音声信号のフォーマットを出力フォーマットとして決定する（ステップＳ５０３）。【００９４】
この場合、フォーマット決定部１０６は、取得された映像音声信号のフォーマットが再生装置１５０により再生可能である場合には、取得された映像音声信号のフォーマットを変換せずにその映像音声信号を出力するように変換部１０３に指示し、取得された映像音声信号のフォーマットが再生装置１５０により再生不可能である場合には、取得された映像音声信号のフォーマットを再生装置１５０が再生可能なフォーマットに変換するように変換部１０３に指示する。【００９５】
なお、フォーマット決定部１０６は、映像音声信号のフォーマットが再生装置１５０により再生可能であるか否かの判定の際に、再生装置１５０から取得したＥＤＩＤ情報または入出力装置１００に対するユーザ設定等の出力フォーマットに関する設定情報を補足情報として使用してもよい。【００９６】
次に、出力フォーマット通信部１０７は、フォーマット決定部１０６により決定された出力フォーマットを示すフォーマット情報を通信部１０４を通して再生装置１５０に送信する（ステップＳ５０４）。【００９７】
その後、入出力装置１００のＣＰＵ１０５は、変換部１０３の設定を切り替えることにより通信部１０４から出力される映像音声信号のフォーマットを図４のフォーマット情報に示される出力フォーマットに切り替える（ステップＳ５０５）。【００９８】
一方、ステップＳ５０４で入出力装置１００からフォーマット情報が送信されると、再生装置１５０の入力フォーマット通信部１５３は通信部１５１を通してフォーマット情報を受信する。フォーマット切替部１５４は、フォーマット情報に基づいて表示部１５２の表示解像度および同期周波数等の再生設定を切り替える（ステップＳ５２０）。本実施の形態では、フォーマット切替部１５４は、図４に示されるフォーマット情報に表示部１５２の状態を一致させる。【００９９】
再生装置１５０の再生設定の切り替えが完了すると、入力フォーマット通信部１５３は通信部１５１を通して入出力装置１００に再生設定切り替えが完了したことを示す再生設定切替完了通知を送信する（ステップＳ５２１）。【０１００】
入出力装置１００のＣＰＵ１０５は、ステップＳ５０５における出力フォーマットの切り替えの完了およびステップＳ５２１における再生設定切替完了通知の受信を確認する（ステップＳ５０６）。【０１０１】
その後、通信部１０４は、映像音声信号の出力を開始する（ステップＳ５０７）。本実施の形態では、図２の通信部１０４のＨＤＭＩトランスミッタ２１１からＨＤＭＩ接続におけるＴＭＤＳ線に映像音声信号が出力される。【０１０２】
再生装置１５０の通信部１５１が入出力装置１００から出力される映像音声信号を受信すると、表示部１５２が映像および音声の再生を開始する（ステップＳ５２２）。それにより、表示部１５２に映像が表示されるとともに表示部１５２から音声が出力される。【０１０３】
以上のように、本実施の形態に係る映像音声装置ネットワークにおいて、入出力装置１００は、出力フォーマットを示すフォーマット情報を再生装置１５０に送信した後に出力フォーマットを切り替え、その後に再生装置１５０に映像音声信号を送信する。一方、再生装置１５０は、入出力装置１００からのフォーマット情報を受信したときに再生設定を切り替えた後、入出力装置１００からの映像音声信号を受信したときに直ちに映像および音声を再生することができる。【０１０４】
したがって、入出力装置１００における映像音声信号のフォーマットの切り替わりの発生から短時間で再生装置１５０により視聴者に映像および音声を提示することが可能となる。【０１０５】
特に、本実施の形態に係る映像音声装置ネットワークにおいては、ＨＤＭＩ接続におけるＣＥＣ線を用いてフォーマット情報を入出力装置１００から再生装置１５０に容易かつ迅速に送信することができる。【０１０６】
このようにして、ユーザの利便性が高い映像音声装置ネットワークを構築することが可能となる。【０１０７】
なお、本実施の形態では、映像音声信号の映像フォーマットおよび音声フォーマットの切り替わりが発生する場合について説明したが、映像信号の映像フォーマットのみが切り替わる場合にはフォーマット情報が映像フォーマットのみを含み、フォーマット切替部１５４が表示部１５２の表示設定のみを切り替える。また、音声信号の音声フォーマットのみが切り替わる場合にはフォーマット情報が音声フォーマットのみを含み、フォーマット切替部１５４が表示部１５２の音声設定のみを切り替える。【０１０８】
また、本実施の形態では、ステップＳ５０４で選局処理が行われるごとに出カフォーマット通信部１０７が再生装置１５０に毎回フォーマット情報を通信するが、選局処理の前に取得されていた映像音声信号のフォーマットと選局処理後に取得された映像音声信号のフォーマットとが異なる場合にのみ出力フォーマット通信部１０７が再生装置１５０にフォーマット情報を送信してもよい。【０１０９】
（２）第２の実施の形態
図６は本発明の第２の実施の形態に係る映像音声信号入出力装置および映像音声再生装置の構成を示すブロック図である。【０１１０】
なお、本実施の形態においても、映像音声信号入出力装置７００を入出力装置７００と略記し、映像音声再生装置１５０を再生装置１５０と略記する。【０１１１】
図６の入出力装置７００が図１の入出力装置７００と異なるのは、出力フォーマット記憶部（図６では出力ＦＭＴ記憶部と表示する）７０１をさらに含む点である。出力フォーマット記憶部７０１は、ＣＰＵ１０５に接続され、チャネルごとの出力フォーマットをフォーマット情報リストとして記憶する。より詳細には、出力フォーマット記憶部７０１は、入出力装置７００が選局可能なチャネルおよびメディアの各々について、以前にそのチャネルおよびメディアにおいて実際に出力された映像信号の映像フォーマットまたは音声信号の音声フォーマットをフォーマット情報リストとして記憶する。この出力フォーマット記憶部７０１を利用することにより高速な出力フォーマットの切り替えが実現される。【０１１２】
なお、入出力装置７００の他の部分の構成および動作は、図１の入出力装置１００の対応する部分の構成および動作と同じであるので、図６において図１と同一部分に同一符号を付し、その説明を省略する。【０１１３】
図７は出力フォーマット記憶部７０１に記憶されるフォーマット情報リストの一例を示す模式図である。【０１１４】
図７の例では、フォーマット情報リストは、選局可能なチャネルの一覧を含み、チャネルごとに映像フォーマットおよび音声フォーマットを示すフォーマット情報を含む。映像フォーマットは、水平ピクセル数、垂直ピクセル数、走査方式（プログレッシブ方式またはインターレース方式）、水平周波数および画面のアスペクト比からなる。【０１１５】
このフォーマット情報リストは、チャネルごとに前回の選局処理時に入出力装置７００から出力された映像音声信号のフォーマット情報を記憶することにより得られる。【０１１６】
図８は第２の実施の形態に係る映像音声装置ネットワークにおける入出力装置および再生装置の処理手順を示すフローチャートである。【０１１７】
ここでは、選局操作によりフォーマットの切り替えが発生した場合に、選局処理により得られる映像音声信号のフォーマットが予測され、入出力装置７００の通信部１０４から出力されるべきフォーマットが決定され、再生装置１５０にフォーマット情報が送信された後、映像音声信号が出力され、再生装置１５０により映像表示および音声出力が行われるまでの処理手順が示される。【０１１８】
まず、ユーザがリモコンまたはフロントパネルを用いた選局操作により入出力装置１００に選局処理を指示すると（イベントＥ１）、ＣＰＵ１０５は出カフォーマット記憶部７０１に記憶されるフォーマット情報リストから選局操作により選択されたチャネルに対応するフォーマット情報をフォーマット予測データとして取り出す（ステップＳ８０１）。【０１１９】
次に、出力フォーマット通信部１０７は、フォーマット予測データを通信部１０４を通して再生装置１５０に送信する（ステップＳ８０２）。この場合、出力フォーマット通信部１０７により送信されるフォーマット予測データは、第１の実施の形態における図５のフォーマット情報と同様の項目を有する。【０１２０】
例えば、図７において、チャネル“００４”が選択される場合には、１９２０×１０８０ピクセル、インターレース方式、６０Ｈｚおよび１６：９の映像フォーマットを示すフォーマット予測データが入出力装置１００から再生装置１５０に送信される。【０１２１】
この場合、該当するチャネルのフォーマット情報とともに、そのフォーマット情報がフォーマット予測データであることを示すパラメータが同時に送信される。例えば、フォーマット情報にフォーマット予測データであることを示すパラーメータが追記される。【０１２２】
本実施の形態では、フォーマット予測データはＨＤＭＩ接続のＣＥＣ信号線を通して送信される。その場合、フォーマット予測データはＨＤＭＩ規格においてＣＥＣ通信に関して規定されたＣＥＣ規格における“Vendor Unique”コマンドを使用して送信することが可能である。【０１２３】
なお、ステップＳ８０１において出力フォーマット記憶部７０１に記憶されたフォーマット情報リストに選択されたチャネル（例えば“００４”）に対応するフォーマット情報が存在しない場合、または入出力装置７００においてそのチャネル（例えば“００４”）が初めて選択された場合には、ステップＳ８０２の処理は行われない。【０１２４】
一方、ステップＳ８０２で入出力装置７００からフォーマット予測データが送信されると、再生装置１５０の入力フォーマット通信部１５３は通信部１５１を通してフォーマット予測データを受信する。フォーマット切替部１５４は、フォーマット予測データに基づいて表示部１５２の再生設定事前切り替えを行う（ステップＳ８２０）。再生設定事前切り替えとは、フォーマット予測データに基づいて表示部１５２の再生設定を事前に切り替えることをいう。具体的には、表示部１５２の画面を一時的にミュートし、表示解像度の切り替えおよび同期周波数の変更等を行う。【０１２５】
再生設定事前切り替えが完了すると、入力フォーマット通信部１５３は、通信部１５１を通して入出力装置７００に再生設定事前切り替えが完了したことを示す再生設定事前切替完了通知を送信する（ステップＳ８２１）。【０１２６】
一方、入出力装置７００の受信部１０１は、ステップＳ８０２の処理の後、選局処理を行う（ステップＳ８０３）。【０１２７】
受信部１０１には放送信号が入力される（イベントＥ２）。選局処理により所望のチャネルが選局されると、受信部１０１により放送信号からそのチャネルの周波数信号が抽出され、抽出された周波数信号から復調部１０２により映像音声信号およびその他の情報の取得が開始される。この場合、復調部１０２は、再生しようとする映像音声信号の取得の際に、その映像音声信号に対応するフォーマット情報を取得する（ステップＳ８０４）。【０１２８】
フォーマット決定部１０６は、フォーマット情報に基づいて、取得された映像音声信号のフォーマットを識別し、識別された映像音声信号のフォーマットが現在接続されている再生装置１５０により再生可能であるか否かを判定し、入出力装置１００から出力する映像音声信号のフォーマットを出力フォーマットとして決定する（ステップＳ８０５）。【０１２９】
この場合、フォーマット決定部１０６は、取得された映像音声信号のフォーマットが再生装置１５０により再生可能である場合には、取得された映像音声信号のフォーマットを変換せずにその映像音声信号を出力するように変換部１０３に指示し、取得された映像音声信号のフォーマットが再生装置１５０により再生不可能である場合には、取得された映像音声信号のフォーマットを再生装置１５０が再生可能なフォーマットに変換するように変換部１０３に指示する。【０１３０】
なお、このフォーマット決定部１０６によるフォーマットの決定の方法は、第１の実施の形態と同様である。【０１３１】
次に、出力フォーマット通信部１０７は、フォーマット決定部１０６により決定された出力フォーマットを示すフォーマット情報を再生装置１５０に送信する（ステップＳ８０６）。【０１３２】
入出力装置７００からフォーマット情報が送信されると、再生装置１５０の入力フォーマット通信部１５３は、通信部１５１を通してフォーマット情報を受信する。フォーマット切替部１５４は、ステップＳ８０２で入出力装置７００から送信されたフォーマット予測データとステップＳ８０６で入出力装置７００から送信されたフォーマット情報とが一致しているか否かを確認する（ステップＳ８２２）。【０１３３】
フォーマット予測データとフォーマット情報とが一致しない場合またはフォーマット予測データがない場合には、フォーマット切替部１５４は、フォーマット情報に基づいて表示部１５２の再生設定切り替えを行う（ステップＳ８２３）。【０１３４】
フォーマット予測データとフォーマット情報とが一致した場合には、フォーマット切替部１５４は、ステップＳ８２３の処理を行わない。【０１３５】
ステップＳ８２２の確認およびステップＳ８２３の再生設定切り替えが完了すると、入力フォーマット通信部１５３は、通信部１５１を通して入出力装置７００にフォーマット確認完了通知を送信する（ステップＳ８２４）。【０１３６】
一方、ステップＳ８０６で出力フォーマット通信部１０７がフォーマット情報を再生装置１５０に送信した後、入出力装置７００のＣＰＵ１０５は、変換部１０３の設定を切り替えることにより通信部１０４から出力される映像音声信号のフォーマットを決定された出力フォーマットに切り替える（ステップＳ８０７）。【０１３７】
次に、ＣＰＵ１０５は、ステップＳ８０６で再生装置１５０に送信したフォーマット情報を出力フォーマット記憶部７０１に記憶されるフォーマット情報リストの該当するチャネルの記憶領域に保存する（ステップＳ８０８）。【０１３８】
次に、ＣＰＵ１０５は、ステップＳ８２１における再生設定事前切替完了通知およびステップＳ８２４におけるフォーマット確認完了通知の受信を確認する（ステップＳ８０９）。【０１３９】
その後、通信部１０４は、映像音声信号の出力を開始する（ステップＳ８１０）。本実施の形態では、図２の通信部１５１のＨＤＭＩトランスミッタ２１１からＨＤＭＩ接続におけるＴＭＤＳ線に映像音声信号が出力される。【０１４０】
再生装置１５０の通信部１５１が入出力装置１００から出力される映像音声信号を受信すると、表示部１５２が映像および音声の再生を開始する（ステップＳ８２５）。それにより、表示部１５２に映像が表示されるとともに表示部１５２から音声が出力される。【０１４１】
以上のように、本実施の形態に係る映像音声装置ネットワークにおいて、入出力装置７００は、選局処理の前に予め記憶されたチャネルごとのフォーマット情報をフォーマット予測データとして再生装置１５０に送信し、再生装置１５０は、フォーマット予測データに基づいて再生設定を事前に切り替える。その後、入出力装置７００は、出力フォーマットを示すフォーマット情報を再生装置１５０に送信した後に出力フォーマットを切り替え、その後に再生装置１５０に映像音声信号を送信する。一方、再生装置１５０は、受信したフォーマット情報がフォーマット予測データと一致する場合には、入出力装置１００からの映像音声信号を受信したときに直ちに映像および音声を再生することができる。また、再生装置１５０は、受信したフォーマット情報がフォーマット予測データと一致しない場合には、フォーマット情報に基づいて再生設定を切り替えた後、入出力装置１００からの映像音声信号を受信したときに直ちに映像および音声を再生することができる。このようにして、再生装置１５０は再生設定の切り替えをより迅速に行うことができる。【０１４２】
したがって、入出力装置７００における映像音声信号のフォーマットの切り替わりの発生から短時間で再生装置１５０により視聴者に映像および音声を提示することが可能となる。【０１４３】
（３）他の実施の形態
第１および第２の実施の形態では、入出力装置が映像音声信号を取得するために放送電波が用いられるが、これに限定されず、入出力装置は、ＤＶＤ等のメディアに記録された映像音声信号を取得してもよく、あるいは、インターネット回線または無線通信等を用いて映像音声信号を取得してもよい。【０１４４】
また、第１および第２の実施の形態では、一例としてＨＤＭＩ接続を用いた映像音声装置ネットワークおよびＣＥＣ線を用いた出力フォーマットの決定方法が説明されているが、本発明における入出力装置と再生装置との接続はＨＤＭＩ接続に限定されず、入出力装置と再生装置とが有線通信または無線通信により接続されてもよい。【０１４５】
さらに、第１および第２の実施の形態では、視聴者が選局操作を行う例が説明されているが、これに限定されず、入出力装置が自動的に選局操作を行ってもよく、あるいは入出力装置に接続された外部機器からの通信等により選局操作が行われてもよい。【０１４６】
また、本発明は、１つのチャネルの番組を視聴中にそのチャネルの映像音声信号のフォーマットが時間軸で切り替わった場合にも適用可能である。【０１４７】
（４）請求項の各構成要素と実施の形態の各部との対応
以下、請求項の各構成要素と実施の形態の各部との対応の例について説明するが、本発明は下記の例に限定されない。【０１４８】
上記実施の形態では、受信部１０１が受信部の例であり、復調部１０２が復調部の例であり、変換部１０３が変換部の例であり、フォーマット決定部１０６が決定部の例であり、通信部１０４および出力フォーマット通信部１０７が第１の通信部の例であり、ＣＰＵ１０５が制御部の例である。また、通信部１５１および入力フォーマット通信部１５３が第２の通信部の例であり、フォーマット切替部１５４が設定部の例であり、表示部１５２が再生部の例である。【０１４９】
さらに、出力フォーマット記憶部７０１が記憶部の例であり、ＨＤＭＩトランスミッタ２１１が信号送信部の例であり、ＣＥＣ通信制御部２１２が情報送信部の例であり、ＨＤＭＩレシーバ２５１が信号受信部の例であり、ＣＥＣ通信制御部２５２が情報受信部の例である。
【産業上の利用可能性】
【０１５０】
本発明は、映像音声信号入出力装置における映像信号または音声信号のフォーマットの切り替わりの発生に応答して再生装置における再生設定を切り替える場合等に有効に利用することができる。
【図１】
2008069050.tif 000003
【図２】
2008069050.tif 000004
【図３】
2008069050.tif 000005
【図４】
2008069050.tif 000006
【図５】
2008069050.tif 000007
【図６】
2008069050.tif 000008
【図７】
2008069050.tif 000009
【図８】
2008069050.tif 000010
【図９】
2008069050.tif 000011
【手続補正書】
【提出日】平成20年4月7日(2008.4.7)
【手続補正１】
【補正対象書類名】特許請求の範囲
【補正対象項目名】全文
【補正方法】変更
【補正の内容】
【特許請求の範囲】
【請求項１】
映像音声信号入出力装置および映像音声再生装置を備え、
前記映像音声信号入出力装置は、
映像信号および音声信号のうち少なくとも一方を含む信号を受信する受信部と、
前記受信部により受信された信号を復調する復調部と、
前記復調部により復調された信号を指示されたフォーマットに変換する変換部と、
前記受信部により受信される信号のフォーマットが変更された場合に前記映像音声再生装置に送信すべき信号のフォーマットを決定する決定部と、
前記決定部により決定されたフォーマットの情報および前記変換部により変換された信号を前記映像音声再生装置に送信する第１の通信部と、
前記決定部によるフォーマットの決定に応答して、前記決定部により決定されたフォーマットの情報を前記映像音声再生装置に送信するように前記第１の通信部を制御した後、前記決定部により決定されたフォーマットを前記変換部に指示し、前記変換部により変換された信号を前記映像音声再生装置に送信するように前記第１の通信部を制御する制御部とを含み、
前記映像音声再生装置は、
前記映像音声信号入出力装置から送信されるフォーマットの情報を受信した後、前記映像音声信号入出力装置から送信される信号を受信する第２の通信部と、
前記第２の通信部により受信された前記フォーマットの情報に基づいて信号の再生条件を設定する設定部と、
前記設定部により設定された再生条件で前記第２の通信部により受信された信号を再生する再生部とを含む、映像音声装置ネットワーク。
【請求項２】
前記決定部は、前記受信部により受信される信号の変更後のフォーマットおよび前記映像音声再生装置により再生可能なフォーマットに基づいて前記映像音声再生装置に送信すべき信号のフォーマットを決定する、請求項１記載の映像音声装置ネットワーク。
【請求項３】
前記映像音声信号入出力装置は、映像信号および音声信号のうち少なくとも一方を含む信号の供給源とフォーマットとの関係を予め記憶する記憶部をさらに含み、
前記制御部は、ユーザによる供給源の切り替え操作時に、前記記憶部から切り替え後の供給源に対応するフォーマットを予測フォーマットとして取り出し、予測フォーマットの情報を前記映像音声再生装置に送信するように前記第１の通信部を制御し、
前記映像音声再生装置の前記第２の通信部は、前記映像音声信号入出力装置から送信される予測フォーマットの情報を受信し、
前記設定部は、前記第２の通信部により受信された前記予測フォーマットの情報に基づいて信号の再生条件を設定した後、前記第２の通信部により受信された前記フォーマットの情報が前記予測フォーマットの情報と異なる場合に前記フォーマットの情報に基づいて信号の再生条件を再設定する、請求項１記載の映像音声装置ネットワーク。
【請求項４】
前記設定部は、前記第２の通信部により受信された前記予測フォーマットの情報に基づいて信号の再生条件を設定した後、前記第２の通信部により受信された前記フォーマットの情報が前記予測フォーマットの情報と同じ場合に前記予測フォーマットの情報に基づいて設定された再生条件を維持する、請求項３記載の映像音声装置ネットワーク。
【請求項５】
前記第１の通信部および前記第２の通信部の各々は、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）規格に準拠し、
前記第１の通信部は、
前記変換部により変換された信号を前記映像音声再生装置に送信する信号送信部と、
前記決定部により決定されたフォーマットの情報を前記映像音声再生装置に送信する情報送信部とを含み、
前記第２の通信部は、
前記映像音声信号入出力装置から送信される信号を受信する信号受信部と、
前記映像音声信号入出力装置から送信されるフォーマットの情報を受信する情報受信部とを含み、
前記情報送信部および前記情報受信部は、ＣＥＣ（Ｃｏｎｓｕｍｅｒ  Ｅｌｅｃｔｒｏｎｉｃｓ  Ｃｏｎｔｒｏｌ）線により接続される、請求項１記載の映像音声装置ネットワーク。
【請求項６】
映像音声再生装置に接続される映像音声信号入出力装置であって、
映像信号および音声信号のうち少なくとも一方を含む信号を受信する受信部と、
前記受信部により受信された信号を復調する復調部と、
前記復調部により復調された信号を指示されたフォーマットに変換する変換部と、
前記受信部により受信される信号のフォーマットが変更された場合に前記映像音声再生装置に送信すべき信号のフォーマットを決定する決定部と、
前記決定部により決定されたフォーマットの情報および前記変換部により変換された信号を前記映像音声再生装置に送信する通信部と、
前記決定部によるフォーマットの決定に応答して、前記決定部により決定されたフォーマットの情報を前記映像音声再生装置に送信するように前記通信部を制御した後、前記決定部により決定されたフォーマットを前記変換部に指示し、前記変換部により変換された信号を前記映像音声再生装置に送信するように前記通信部を制御する制御部とを備えた、映像音声信号入出力装置。
【請求項７】
映像信号および音声信号のうち少なくとも一方を含む信号のフォーマットの情報を送信した後に前記信号を送信する映像音声信号入出力装置に接続される映像音声再生装置であって、
前記映像音声信号入出力装置から送信されるフォーマットの情報を受信した後、前記映像音声信号入出力装置から送信される信号を受信する通信部と、
前記通信部により受信された前記フォーマットの情報に基づいて信号の再生条件を設定する設定部と、
前記設定部により設定された再生条件で前記通信部により受信された信号を再生する再生部とを備えた、映像音声再生装置。
【請求項８】
映像音声信号入出力装置から送信される映像信号および音声信号のうち少なくとも一方を含む信号を映像音声再生装置において再生する信号再生方法であって、
前記映像音声信号入出力装置において、映像信号および音声信号のうち少なくとも一方を含む信号を受信するステップと、
前記映像音声信号入出力装置において、前記受信された信号を復調するステップと、
前記映像音声信号入出力装置において、前記復調された信号を指示されたフォーマットに変換するステップと、
前記映像音声信号入出力装置において、前記受信される信号のフォーマットが変更された場合に前記映像音声再生装置に送信すべき信号のフォーマットを決定するステップと、
前記映像音声信号入出力装置において、前記フォーマットの決定に応答して、前記決定されたフォーマットの情報を前記映像音声再生装置に送信するステップと、
前記映像音声信号入出力装置において、前記変換された信号を前記映像音声再生装置に送信するステップと、
前記映像音声再生装置において、前記映像音声信号入出力装置から送信されるフォーマットの情報を受信するステップと、
前記映像音声再生装置において、前記受信された前記フォーマットの情報に基づいて信号の再生条件を設定するステップと、
前記映像音声再生装置において、前記映像音声信号入出力装置から送信される信号を受信するステップと、
前記映像音声再生装置において、前記設定された再生条件で前記受信された信号を再生するステップとを含む、信号再生方法。
【手続補正書】
【提出日】平成21年1月27日(2009.1.27)
【手続補正１】
【補正対象書類名】特許請求の範囲
【補正対象項目名】全文
【補正方法】変更
【補正の内容】
【特許請求の範囲】
【請求項１】
映像音声信号入出力装置および映像音声再生装置を備え、
前記映像音声信号入出力装置は、
映像信号および音声信号のうち少なくとも一方を含む信号を受信する受信部と、
前記受信部により受信された信号を復調する復調部と、
前記復調部により復調された信号を指示されたフォーマットに変換する変換部と、
前記受信部により受信される信号のフォーマットが変更された場合に前記映像音声再生装置に送信すべき信号のフォーマットを決定する決定部と、
前記決定部により決定されたフォーマットの情報および前記変換部により変換された信号を前記映像音声再生装置に送信する第１の通信部と、
前記決定部によるフォーマットの決定に応答して、前記決定部により決定されたフォーマットの情報を前記映像音声再生装置に送信するように前記第１の通信部を制御した後、前記決定部により決定されたフォーマットを前記変換部に指示し、前記変換部により変換された信号を前記映像音声再生装置に送信するように前記第１の通信部を制御する制御部とを含み、
前記映像音声再生装置は、
前記映像音声信号入出力装置から送信されるフォーマットの情報を受信した後、前記映像音声信号入出力装置から送信される信号を受信する第２の通信部と、
前記第２の通信部により受信された前記フォーマットの情報に基づいて信号の再生条件を設定する設定部と、
前記設定部により設定された再生条件で前記第２の通信部により受信された信号を再生する再生部とを含む、映像音声装置ネットワーク。
【請求項２】
前記決定部は、前記受信部により受信される信号の変更後のフォーマットおよび前記映像音声再生装置により再生可能なフォーマットに基づいて前記映像音声再生装置に送信すべき信号のフォーマットを決定する、請求項１記載の映像音声装置ネットワーク。
【請求項３】
前記映像音声信号入出力装置は、映像信号および音声信号のうち少なくとも一方を含む信号の供給源とフォーマットとの関係を予め記憶する記憶部をさらに含み、
前記制御部は、ユーザによる供給源の切り替え操作時に、前記記憶部から切り替え後の供給源に対応するフォーマットを予測フォーマットとして取り出し、予測フォーマットの情報を前記映像音声再生装置に送信するように前記第１の通信部を制御し、
前記映像音声再生装置の前記第２の通信部は、前記映像音声信号入出力装置から送信される予測フォーマットの情報を受信し、
前記設定部は、前記第２の通信部により受信された前記予測フォーマットの情報に基づいて信号の再生条件を設定した後、前記第２の通信部により受信された前記フォーマットの情報が前記予測フォーマットの情報と異なる場合に前記フォーマットの情報に基づいて信号の再生条件を再設定する、請求項１記載の映像音声装置ネットワーク。
【請求項４】
前記設定部は、前記第２の通信部により受信された前記予測フォーマットの情報に基づいて信号の再生条件を設定した後、前記第２の通信部により受信された前記フォーマットの情報が前記予測フォーマットの情報と同じ場合に前記予測フォーマットの情報に基づいて設定された再生条件を維持する、請求項３記載の映像音声装置ネットワーク。
【請求項５】
前記第１の通信部および前記第２の通信部の各々は、ＨＤＭＩ（High-Definition Multimedia Interface）規格に準拠し、
前記第１の通信部は、
前記変換部により変換された信号を前記映像音声再生装置に送信する信号送信部と、
前記決定部により決定されたフォーマットの情報を前記映像音声再生装置に送信する情報送信部とを含み、
前記第２の通信部は、
前記映像音声信号入出力装置から送信される信号を受信する信号受信部と、
前記映像音声信号入出力装置から送信されるフォーマットの情報を受信する情報受信部とを含み、
前記情報送信部および前記情報受信部は、ＣＥＣ（Consumer Electronics Contro1）線により接続される、請求項１記載の映像音声装置ネットワーク。
【請求項６】
映像音声再生装置に接続される映像音声信号入出力装置であって、
映像信号および音声信号のうち少なくとも一方を含む信号を受信する受信部と、
前記受信部により受信された信号を復調する復調部と、
前記復調部により復調された信号を指示されたフォーマットに変換する変換部と、
前記受信部により受信される信号のフォーマットが変更された場合に前記映像音声再生装置に送信すべき信号のフォーマットを決定する決定部と、
前記決定部により決定されたフォーマットの情報および前記変換部により変換された信号を前記映像音声再生装置に送信する通信部と、
前記決定部によるフォーマットの決定に応答して、前記決定部により決定されたフォーマットの情報を前記映像音声再生装置に送信するように前記通信部を制御した後、前記決定部により決定されたフォーマットを前記変換部に指示し、前記変換部により変換された信号を前記映像音声再生装置に送信するように前記通信部を制御する制御部とを備えた、映像音声信号入出力装置。
【請求項７】
映像信号および音声信号のうち少なくとも一方を含む信号のフォーマットの情報を送信した後に前記信号を送信する映像音声信号入出力装置に接続される映像音声再生装置であって、
前記映像音声信号入出力装置から送信されるフォーマットの情報を受信した後、前記映像音声信号入出力装置から送信される信号を受信する通信部と、
前記通信部により受信された前記フォーマットの情報に基づいて信号の再生条件を設定する設定部と、
前記設定部により設定された再生条件で前記通信部により受信された信号を再生する再生部とを備えた、映像音声再生装置。
【請求項８】
映像音声信号入出力装置から送信される映像信号および音声信号のうち少なくとも一方を含む信号を映像音声再生装置において再生する信号再生方法であって、
前記映像音声信号入出力装置において、映像信号および音声信号のうち少なくとも一方を含む信号を受信するステップと、
前記映像音声信号入出力装置において、前記受信された信号を復調するステップと、
前記映像音声信号入出力装置において、前記復調された信号を指示されたフォーマットに変換するステップと、
前記映像音声信号入出力装置において、前記受信される信号のフォーマットが変更された場合に前記映像音声再生装置に送信すべき信号のフォーマットを決定するステップと、
前記映像音声信号入出力装置において、前記フォーマットの決定に応答して、前記決定されたフォーマットの情報を前記映像音声再生装置に送信するステップと、
前記映像音声信号入出力装置において、前記変換された信号を前記映像音声再生装置に送信するステップと、
前記映像音声再生装置において、前記映像音声信号入出力装置から送信されるフォーマットの情報を受信するステップと、
前記映像音声再生装置において、前記受信された前記フォーマットの情報に基づいて信号の再生条件を設定するステップと、
前記映像音声再生装置において、前記映像音声信号入出力装置から送信される信号を受信するステップと、
前記映像音声再生装置において、前記設定された再生条件で前記受信された信号を再生するステップとを含む、信号再生方法。
【手続補正２】
【補正対象書類名】明細書
【補正対象項目名】全文
【補正方法】変更
【補正の内容】
【発明の詳細な説明】
【技術分野】
【０００１】
本発明は、映像信号および音声信号の入出力を行う映像音声信号入出力装置、映像信号に基づく映像表示および音声信号に基づく音声出力を行う映像音声再生装置、相互に接続された映像音声信号入出力装置および映像音声再生装置を含む映像音声装置ネットワーク、ならびに信号再生方法に関する。
【背景技術】
【０００２】
近年の映像信号のデジタル化の進展により、映像音声装置において複数の映像および音声フォーマットが使用されており、これら複数の映像および音声フォーマットに適合した映像音声装置も増加している。映像音声装置の例としては、テレビジョン受信機またはプロジェクタ等の映像音声再生装置（以下、再生装置と略記する）、およびデジタル放送受信用セットトップボックスまたはＤＶＤ（デジタルバーサタイルディスク）レコーダ等の映像音声信号入出力装置（以下、入出力装置と略記する）等が挙げられる。また、新たな映像および音声フォーマットの提唱も継続して行われており、映像音声装置が適合する映像および音声フォーマットは今後も増加していくものと考えられる。
【０００３】
以下、単にフォーマットというときは、映像フォーマットおよび音声フォーマットの両方または一方を指すものとする。
【０００４】
現在、使用されている映像フォーマットとしては、例えば４８０ｉ、４８０ｐ、５７６ｉ、５７６ｐ、７２０ｐおよび１０８０ｉ等が挙げられる。ここで、“ｉ”はインターレース方式を表し、“ｐ”はプログレッシブ方式を表す。音声フォーマットとしては、ＡＡＣ（Advanced Audio Coding）、ＰＣＭ（Pulse Code Modulation）およびＡＣ３（Audio Code number 3）、Ｍｐｅｇ（Moving Picture Experts Group）等が挙げられる。しかし、すべての映像音声装置がすべてのフォーマットに適合しているわけではない。
【０００５】
このため、入出力装置を再生装置に接続し、入出力装置から再生装置に映像信号および音声信号を送信する際には、各入出力装置が出力可能なフォーマットと再生装置が受信および再生可能なフォーマットとを比較し、使用するフォーマットを設定するという機器設定作業が行われる。
【０００６】
この機器設定作業としては、機器設定メニュー等を用いてユーザ操作によって使用可能なフォーマットを決定する場合と、入出力装置および再生装置の各々が自動的に送受信可能なフォーマットを示す情報を交替して、入出力装置と再生装置との間で使用可能なフォーマットを決定するような場合とがある。
【０００７】
機器設定作業を行った結果として複数のフォーマットが使用可能なフォーマットとして設定された場合には、入出力装置での選局操作または再生コンテンツの切り替え等により、入出力装置から出力されるフォーマットが切り替えられる場合がある。
【０００８】
これは、例えば次のような場合を指す。入出力装置および再生装置で４８０ｉおよび１０８０ｉが使用可能な映像フォーマットとして設定されている。また、テレビ放送の１つの放送チャネルの映像が４８０ｉの映像フォーマットで放送されている。このような状態で、他の異なる放送チャネルが選局されたときに、選局後の放送チャネルが１０８０ｉの映像フォーマットで放送されている。この場合、入出力装置から出力される４８０ｉの映像フォーマットが１０８０ｉの映像フォーマットに切り替えられる。
【０００９】
しかしながら、従来の入出力装置と再生装置との間での信号の送受信においては、このようなフォーマットの切り替えが発生した場合に、視聴者による選局操作の実施から入出力装置での選局処理およびフォーマットの切り替え後に再生装置において映像が表示されるまでの時間が一般的に長く、１秒から数秒を必要とする。
【００１０】
図９は従来の映像音声信号入出力装置および映像音声再生装置におけるフォーマットの切替時の動作を示すフローチャートである。
【００１１】
例えば放送受信の場合には、視聴者がリモコン等により選局操作を行ったときに、まず入出力装置が放送チャネルの選局処理を行う（ステップＳ１）。入出力装置は、放送信号の入力後に、映像信号のフォーマットを検知し（ステップＳ２）、映像信号の出力フォーマットの切り替えを行う（ステップＳ３）。その後に、入出力装置は映像信号の出力を開始する（ステップＳ４）。
【００１２】
再生装置は、入出力装置からの映像信号を受信すると、映像信号のフォーマットの切り替えを検知し（ステップＳ５）、切り替え後のフォーマットで映像を表示するために表示解像度切り替えおよび表示位置の調整を行う（ステップＳ６）。その後に、再生装置は映像表示を開始する（ステップＳ７）。このように、複数の装置による一連の処理が発生する。そのため、選局操作の実施から映像が表示されるまでの時間が長くなる。
【００１３】
上記のフォーマットの切り替え処理は、選局操作時だけでなく入出力装置が再生可能なＤＶＤ等のメディアの再生開始時、またはＨＤＤ（ハードディスクドライブ）に録画されたコンテンツの再生時のように再生するコンテンツのフォーマットが切り替わるときには常に発生しうる。
【００１４】
このため、視聴者は選局操作および視聴メディアの切り替えごとに、入出力装置および再生装置のフォーマットの切り替え処理を待たなくてはならず、選局操作等をスムーズに行うことができない。
【００１５】
特許文献１に、フォーマット切り替え処理を行う画像表示装置が記載されている。特許文献１の画像表示装置では、受信されたデジタル信号に含まれている表示関連情報を抽出し、この表示関連情報に応答して表示モードを自動設定するとともに、ユーザによる表示モードの設定指示があった場合にユーザによる設定指示に従って表示モードを設定する。
【特許文献１】特開２００６-１０８７５０号公報
【発明の開示】
【発明が解決しようとする課題】
【００１６】
上記のように、入出力装置および再生装置のように複数の映像および音声フォーマットに適合した２つ以上の映像音声装置を接続して映像音声コンテンツを視聴する場合、フォーマットの切り替えが発生する選局またはコンテンツの切り替えを行ったときに、複数の映像音声装置がフォーマットを切り替える必要がある。そのため、切り替え時間が長くなり、視聴者にとって好ましいものではなかった。
【００１７】
本発明の目的は、映像音声信号入出力装置と映像音声再生装置との間でのフォーマットの切り替えに要する時間を短縮することが可能な映像音声装置ネットワークを提供することである。
【００１８】
本発明の他の目的は、映像音声再生装置に接続された状態で、信号のフォーマットの切り替えが発生した場合に映像音声再生装置におけるフォーマットの切り替えに要する時間を短縮することが可能な映像音声信号入出力装置を提供することである。
【００１９】
本発明のさらに他の目的は、映像音声信号入出力装置に接続された状態で、信号のフォーマットの切り替えに要する時間を短縮することが可能な映像音声再生装置を提供することである。
【００２０】
本発明のさらに他の目的は、映像音声信号入出力装置と映像音声再生装置との間でのフォーマットの切り替えに要する時間を短縮することが可能な信号再生方法を提供することである。
【課題を解決するための手段】
【００２１】
（１）  本発明の一局面に従う映像音声装置ネットワークは、映像音声信号入出力装置および映像音声再生装置を備え、映像音声信号入出力装置は、映像信号および音声信号のうち少なくとも一方を含む信号を受信する受信部と、受信部により受信された信号を復調する復調部と、復調部により復調された信号を指示されたフォーマットに変換する変換部と、受信部により受信される信号のフォーマットが変更された場合に映像音声再生装置に送信すべき信号のフォーマットを決定する決定部と、決定部により決定されたフォーマットの情報および変換部により変換された信号を映像音声再生装置に送信する第１の通信部と、決定部によるフォーマットの決定に応答して、決定部により決定されたフォーマットの情報を映像音声再生装置に送信するように第１の通信部を制御した後、決定部により決定されたフォーマットを変換部に指示し、変換部により変換された信号を映像音声再生装置に送信するように第１の通信部を制御する制御部とを含み、映像音声再生装置は、映像音声信号入出力装置から送信されるフォーマットの情報を受信した後、映像音声信号入出力装置から送信される信号を受信する第２の通信部と、第２の通信部により受信されたフォーマットの情報に基づいて信号の再生条件を設定する設定部と、設定部により設定された再生条件で第２の通信部により受信された信号を再生する再生部とを含むものである。
【００２２】
その映像音声装置ネットワークの映像音声信号入出力装置においては、受信部により映像信号および音声信号のうち少なくとも一方を含む信号が受信され、受信された信号が復調部により復調され、復調された信号が指示されたフォーマットに変換部により変換される。また、受信される信号のフォーマットが変更された場合に映像音声再生装置に送信すべき信号のフォーマットが決定部により決定される。フォーマットの決定に応答して、決定されたフォーマットの情報を映像音声再生装置に送信するように第１の通信部が制御部により制御された後、決定されたフォーマットが変換部に指示され、変換された信号を映像音声再生装置に送信するように第１の通信部が制御される。
【００２３】
映像音声再生装置においては、映像音声信号入出力装置から送信されるフォーマットの情報が第２の通信部により受信される。受信されたフォーマットの情報に基づいて信号の再生条件が設定部により設定される。その後、映像音声信号入出力装置から送信される信号が第２の通信部により受信される。設定された再生条件で受信された信号が再生部により再生される。
【００２４】
このように、映像音声信号入出力装置から送信される信号のフォーマットが決定された時点で映像音声再生装置にフォーマットの情報が送信され、映像音声再生装置でそのフォーマットの情報に基づいて再生条件の設定が開始される。それにより、映像音声再生装置では、映像音声信号入出力装置から送信される信号を受信した時点でその信号を直ちに再生することができる。
【００２５】
したがって、映像音声信号入出力装置と映像音声再生装置との間でのフォーマットの切り替えに要する時間を短縮することが可能となる。
【００２６】
（２）  決定部は、受信部により受信される信号の変更後のフォーマットおよび映像音声再生装置により再生可能なフォーマットに基づいて映像音声再生装置に送信すべき信号のフォーマットを決定してもよい。
【００２７】
この場合、映像音声再生装置において、映像音声信号入出力装置から送信される信号を確実に再生することができる。
【００２８】
（３）  映像音声信号入出力装置は、映像信号および音声信号のうち少なくとも一方を含む信号の供給源とフォーマットとの関係を予め記憶する記憶部をさらに含み、制御部は、ユーザによる供給源の切り替え操作時に、記憶部から切り替え後の供給源に対応するフォーマットを予測フォーマットとして取り出し、予測フォーマットの情報を映像音声再生装置に送信するように第１の通信部を制御し、映像音声再生装置の第２の通信部は、映像音声信号入出力装置から送信される予測フォーマットの情報を受信し、設定部は、第２の通信部により受信された予測フォーマットの情報に基づいて信号の再生条件を設定した後、第２の通信部により受信されたフォーマットの情報が予測フォーマットの情報と異なる場合にフォーマットの情報に基づいて信号の再生条件を再設定してもよい。
【００２９】
この場合、映像音声信号入出力装置において、ユーザによる供給源の切り替え操作時に、制御部により記憶部から切り替え後の供給源に対応するフォーマットが予測フォーマットとして取り出される。そして、予測フォーマットの情報を映像音声再生装置に送信するように第１の通信部が制御部により制御される。
【００３０】
一方、映像音声再生装置において、映像音声信号入出力装置から送信される予測フォーマットの情報が第２の通信部により受信される。そして、受信された予測フォーマットの情報に基づいて信号の再生条件が設定部により設定される。その後、受信されたフォーマットの情報が予測フォーマットの情報と異なる場合には、フォーマットの情報に基づいて信号の再生条件が設定部により再設定される。
【００３１】
それにより、映像音声信号入出力装置から送信される予測フォーマットの情報が受信された時点で映像音声再生装置でその予測フォーマットの情報に基づいて再生条件の設定が開始される。映像音声再生装置では、映像音声信号入出力装置から送信される信号を受信した時点でその信号を直ちに再生することができる。
【００３２】
したがって、映像音声信号入出力装置と映像音声再生装置との間でのフォーマットの切り替えに要する時間をさらに短縮することが可能となる。
【００３３】
（４）  設定部は、第２の通信部により受信された予測フォーマットの情報に基づいて信号の再生条件を設定した後、第２の通信部により受信されたフォーマットの情報が予測フォーマットの情報と同じ場合に予測フォーマットの情報に基づいて設定された再生条件を維持してもよい。
【００３４】
この場合、受信されたフォーマットの情報が予測フォーマットの情報と同じ場合には予測フォーマットの情報に基づいて設定された再生条件が維持される。それにより、映像音声再生装置では、映像音声信号入出力装置から送信される信号を受信した時点でその信号を直ちに再生することができる。
【００３５】
したがって、映像音声信号入出力装置と映像音声再生装置との間でのフォーマットの切り替えに要する時間をさらに短縮することが可能となる。
【００３６】
（５）  第１の通信部および第２の通信部の各々は、ＨＤＭＩ（High-Definition Multimedia Interface）規格に準拠し、第１の通信部は、変換部により変換された信号を映像音声再生装置に送信する信号送信部と、決定部により決定されたフォーマットの情報を映像音声再生装置に送信する情報送信部とを含み、第２の通信部は、映像音声信号入出力装置から送信される信号を受信する信号受信部と、映像音声信号入出力装置から送信されるフォーマットの情報を受信する情報受信部とを含み、情報送信部および情報受信部は、ＣＥＣ（Consumer Electronics Contro1）線により接続されてもよい。
【００３７】
この場合、映像音声信号入出力装置から映像音声再生装置に映像信号および音声信号の少なくとも一方を含む信号およびフォーマットの情報を容易に送信することができる。
【００３８】
（６）  本発明の他の局面に従う映像音声信号入出力装置は、映像音声再生装置に接続される映像音声信号入出力装置であって、映像信号および音声信号のうち少なくとも一方を含む信号を受信する受信部と、受信部により受信された信号を復調する復調部と、復調部により復調された信号を指示されたフォーマットに変換する変換部と、受信部により受信される信号のフォーマットが変更された場合に映像音声再生装置に送信すべき信号のフォーマットを決定する決定部と、決定部により決定されたフォーマットの情報および変換部により変換された信号を映像音声再生装置に送信する通信部と、決定部によるフォーマットの決定に応答して、決定部により決定されたフォーマットの情報を映像音声再生装置に送信するように通信部を制御した後、決定部により決定されたフォーマットを変換部に指示し、変換部により変換された信号を映像音声再生装置に送信するように通信部を制御する制御部とを備えたものである。
【００３９】
その映像音声信号入出力装置においては、受信部により映像信号および音声信号のうち少なくとも一方を含む信号が受信され、受信された信号が復調部により復調され、復調された信号が指示されたフォーマットに変換部により変換される。また、受信される信号のフォーマットが変更された場合に映像音声再生装置に送信すべき信号のフォーマットが決定部により決定される。フォーマットの決定に応答して、決定されたフォーマットの情報を映像音声再生装置に送信するように通信部が制御部により制御された後、決定されたフォーマットが変換部に指示され、変換された信号を映像音声再生装置に送信するように通信部が制御される。
【００４０】
このように、映像音声信号入出力装置から送信される信号のフォーマットが決定された時点で映像音声再生装置にフォーマットの情報が送信され、映像音声再生装置でそのフォーマットの情報に基づいて再生条件の設定が開始される。それにより、映像音声再生装置では、映像音声信号入出力装置から送信される信号を受信した時点でその信号を直ちに再生することができる。
【００４１】
したがって、映像音声信号入出力装置が映像音声再生装置に接続された状態で、信号のフォーマットの切り替えが発生した場合に映像音声再生装置におけるフォーマットの切り替えに要する時間を短縮することが可能となる。
【００４２】
（７）  本発明のさらに他の局面に従う映像音声再生装置は、映像信号および音声信号のうち少なくとも一方を含む信号のフォーマットの情報を送信した後に信号を送信する映像音声信号入出力装置に接続される映像音声再生装置であって、映像音声信号入出力装置から送信されるフォーマットの情報を受信した後、映像音声信号入出力装置から送信される信号を受信する通信部と、通信部により受信されたフォーマットの情報に基づいて信号の再生条件を設定する設定部と、設定部により設定された再生条件で通信部により受信された信号を再生する再生部とを備えたものである。
【００４３】
その映像音声再生装置においては、映像音声信号入出力装置から送信されるフォーマットの情報が通信部により受信される。受信されたフォーマットの情報に基づいて信号の再生条件が設定部により設定される。その後、映像音声信号入出力装置から送信される信号が通信部により受信される。設定された再生条件で受信された信号が再生部により再生される。
【００４４】
このように、映像音声信号入出力装置から送信されるフォーマットの情報が受信された時点で映像音声再生装置でそのフォーマットの情報に基づいて再生条件の設定が開始される。それにより、映像音声再生装置では、映像音声信号入出力装置から送信される信号を受信した時点でその信号を直ちに再生することができる。
【００４５】
したがって、映像音声信号入出力装置に接続された状態で、信号のフォーマットの切り替えに要する時間を短縮することが可能となる。
【００４６】
（８）  本発明のさらに他の局面に従う信号再生方法は、映像音声信号入出力装置から送信される映像信号および音声信号のうち少なくとも一方を含む信号を映像音声再生装置において再生する信号再生方法であって、映像音声信号入出力装置において、映像信号および音声信号のうち少なくとも一方を含む信号を受信するステップと、映像音声信号入出力装置において、受信された信号を復調するステップと、映像音声信号入出力装置において、復調された信号を指示されたフォーマットに変換するステップと、映像音声信号入出力装置において、受信される信号のフォーマットが変更された場合に映像音声再生装置に送信すべき信号のフォーマットを決定するステップと、映像音声信号入出力装置において、フォーマットの決定に応答して、決定されたフォーマットの情報を映像音声再生装置に送信するステップと、映像音声信号入出力装置において、変換された信号を映像音声再生装置に送信するステップと、映像音声再生装置において、映像音声信号入出力装置から送信されるフォーマットの情報を受信するステップと、映像音声再生装置において、受信されたフォーマットの情報に基づいて信号の再生条件を設定するステップと、映像音声再生装置において、映像音声信号入出力装置から送信される信号を受信するステップと、映像音声再生装置において、設定された再生条件で受信された信号を再生するステップとを含むものである。
【００４７】
その信号再生方法によれば、映像音声信号入出力装置において映像信号および音声信号のうち少なくとも一方を含む信号が受信され、受信された信号が復調され、復調された信号が指示されたフォーマットに変換される。また、受信される信号のフォーマットが変更された場合に映像音声再生装置に送信すべき信号のフォーマットが決定される。フォーマットの決定に応答して、決定されたフォーマットの情報が映像音声再生装置に送信され、変換された信号が映像音声再生装置に送信される。
【００４８】
映像音声再生装置においては、映像音声信号入出力装置から送信されるフォーマットの情報が受信される。受信されたフォーマットの情報に基づいて信号の再生条件が設定される。その後、映像音声信号入出力装置から送信される信号が受信される。設定された再生条件で受信された信号が再生される。
【００４９】
このように、映像音声信号入出力装置から送信される信号のフォーマットが決定された時点で映像音声再生装置にフォーマットの情報が送信され、映像音声再生装置でそのフォーマットの情報に基づいて再生条件の設定が開始される。それにより、映像音声再生装置では、映像音声信号入出力装置から送信される信号を受信した時点でその信号を直ちに再生することができる。
【００５０】
したがって、映像音声信号入出力装置と映像音声再生装置との間でのフォーマットの切り替えに要する時間を短縮することが可能となる。
【発明の効果】
【００５１】
本発明によれば、映像音声信号入出力装置と映像音声再生装置との間でのフォーマットの切り替えに要する時間を短縮することが可能となる。
【発明を実施するための最良の形態】
【００５２】
以下、本発明の実施の形態に係る映像音声信号入出力装置、映像音声再生装置、およびこれらを用いた映像音声装置ネットワークならびに信号再生方法について説明する。
【００５３】
（１）第１の実施の形態
図１は本発明の第１の実施の形態に係る映像音声信号入出力装置および映像音声再生装置の構成を示すブロック図である。以下、映像音声信号入出力装置１００を入出力装置１００と略記し、映像音声再生装置１５０を再生装置１５０と略記する。
【００５４】
なお、本実施の形態では、１台の入出力装置１００と１台の再生装置１５０とが互いに接続される。ここでは、このように２台以上の映像音声装置が相互に接続された状態を映像音声装置ネットワークと呼ぶ。また、映像フォーマットおよび音声フォーマットの一方または両方を単にフォーマットと称する。
【００５５】
入出力装置１００は、受信部１０１、復調部１０２、変換部１０３、通信部１０４、ＣＰＵ（中央演算処理装置）１０５、フォーマット決定部（図１ではＦＭＴ決定部と表示する）１０６および出力フォーマット通信部（図１では出力ＦＭＴ通信部と表示する）１０７を含む。
【００５６】
放送電波は、アンテナにより受信され、放送信号が受信部１０１に入力される。受信部１０１は、入力される放送信号からＣＰＵ１０５により指定された放送チャンネル（以下、チャネルと略記する）の周波数信号を取得する。
【００５７】
復調部１０２は、受信部１０１から出力される周波数信号から映像信号、音声信号および番組に関する情報等を取得し、それらの映像信号、音声信号および番組に関する情報等をそれぞれデジタルの映像信号、デジタルの音声信号およびデジタルの情報等に復調する。
【００５８】
変換部１０３は、復調部１０２により復調されたデジタルの映像信号および音声信号のフォーマットを任意のフォーマットに変換する。例えば、復調部１０２により復調された映像信号が１０８０ｉのフォーマットを有する場合に、変換部１０３は映像信号のフォーマットを４８０ｉのフォーマットに変換する。また、例えば、復調部１０２により復調された音声信号がＡＣ３のフォーマットを有する場合に、変換部１０３は音声信号のフォーマットをＰＣＭのフォーマットに変換する。
【００５９】
通信部１０４は、外部装置と通信を行う際に信号の変換および信号の送受信を行う。この通信部１０４は、外部端子を通して接続された外部装置に対して映像信号、音声信号およびデータ信号の通信を行う。
【００６０】
ＣＰＵ１０５は、入出力装置１００の全体のシステムを管理するマイクロコンピュータであり、各部の動作およびメッセージの送受信を制御する。
【００６１】
フォーマット決定部１０６は、復調部１０２により復調された番組に関する情報から映像および音声を再生するために必要なフォーマットを示すフォーマット情報を抽出する。フォーマット情報は、画面解像度およびクロック周波数等を含む。映像フォーマットは、例えば、４８０ｉ/６０Ｈｚ（７２０×４８０ピクセル、インターレース方式および６０Ｈｚ）等である。音声フォーマットは、例えば、ＡＣ３およびＰＣＭ等である。
【００６２】
また、フォーマット決定部１０６は、再生装置１５０が再生可能なフォーマットに関する情報を通信部１０４を介して取得することができる。フォーマット決定部１０６は、取得した再生可能なフォーマットに関する情報と再生されるべき映像信号または音声信号のフォーマットとを比較し、実際に出力する映像信号または音声信号のフォーマットを出力フォーマットとして決定するとともに、変換部１０３の出力フォーマットを切り替える。それにより、入出力装置１００から接続先の再生装置１５０に出力される映像信号または音声信号のフォーマットが決定される。
【００６３】
出力フォーマット通信部１０７は、再生装置１５０と通信部１０４を通して通信することが可能である。特に、出力フォーマット通信部１０７は、フォーマット決定部１０６により決定された出力フォーマットをフォーマット決定部１０６から受け取り、その出力フォーマットを示すフォーマット情報を再生装置１５０に送信する。また、出力フォーマット通信部１０７は、接続先の再生装置１５０からの後述する切替完了通知等の信号を受信することができる。
【００６４】
このように、入出力装置１００では、選局操作により選択されたチャネルの周波数信号が受信部１０１により抽出され、抽出された周波数信号が復調部１０２によりデジタルの映像信号および音声信号に復調される。さらに、映像信号および音声信号が変換部１０３により所定の出力フォーマットに変換され、変換された出力フォーマットを有する映像信号および音声信号が通信部１０４を通して再生装置１５０に出力される。
【００６５】
再生装置１５０は、通信部１５１、表示部１５２、入力フォーマット通信部（図１では入力ＦＭＴ通信部と表示する）１５３、およびフォーマット切替部（図１ではＦＭＴ切替部と表示する）１５４を含む。
【００６６】
通信部１５１は、外部装置と映像信号および音声信号の送受信を行う。表示部１５２は、通信部１５１により受信された映像信号および音声信号を映像および音声として再生する。
【００６７】
入力フォーマット通信部１５３は、入出力装置１００に対して通信部１５１を通してフォーマット情報およびコマンドを通信する。
【００６８】
フォーマット切替部１５４は、入力フォーマット通信部１５３により取得されたフォーマット情報に基づいて表示部１５２の再生設定を切り替える。ここで、再生設定は、映像表示の設定および音声出力の設定を含む。
【００６９】
図２は第１の実施の形態に係る入出力装置と再生装置との具体的な接続方法を示すブロック図である。以下、接続方法の一例として、ＨＤＭＩ（High-Definition Multimedia Interface）規格に準拠した接続方法を説明する。
【００７０】
ＨＤＭＩ規格は２００２年１２月に策定された規格である。このＨＤＭＩ規格によれば、デジタルデータ以外に付帯情報の入出力を行うことが可能である。
【００７１】
図２の例では、入出力装置１００の通信部１０４がＨＤＭＩ送信部からなる。この場合、通信部１０４は、ＨＤＭＩトランスミッタ２１１およびＣＥＣ（Consumer Electronics Contro1）通信制御部２１２により構成される。
【００７２】
また、再生装置１５０の通信部１５１は、ＨＤＭＩ受信部からなる。この場合、通信部１５１は、ＨＤＭＩレシーバ２５１およびＣＥＣ通信制御部２５２により構成される。
【００７３】
通信部１０４は、映像信号および音声信号を出力するためのＴＭＤＳ（Transition Minimized Differential Signaling）規格に準拠するＴＭＤＳ信号線、設定情報およびステータス情報を送受信するためのＤＤＣ（Display Data Channe1）信号線、およびＣＥＣ（Consumer Electronics Contro1）信号線を外部装置との接続のために有する。本例では、入出力装置１００の通信部１０４と再生装置１５０の通信部１５１とがＴＭＤＳ信号線、ＤＤＣ信号線およびＣＥＣ信号線により接続される。以下、映像信号および音声信号を映像音声信号と総称する。
【００７４】
まず、ＴＭＤＳ信号線を経由した映像音声信号の流れについて説明する。
【００７５】
入出力装置１００の通信部１０４のＨＤＭＩトランスミッタ２１１は、変換部１０３から出力される映像音声信号を受信し、受信した映像音声信号をＴＭＤＳ信号線に出力する。このときに出力される映像音声信号のフォーマットはＣＰＵ１０５により指示される。
【００７６】
ＴＭＤＳ信号線に出力された映像音声信号は、再生装置１５０の通信部１５１のＨＤＭＩレシーバ２５１により受信され、表示部１５２により映像および音声として再生される。
【００７７】
次に、ＤＤＣ信号線は、設定情報およびステータス情報を送受信するために用いられる。ＤＤＣ信号線を介して送信される情報の一つとしてＥＤＩＤ（Extended display identification data）情報がある。
【００７８】
ＥＤＩＤ情報は、テレビジョン受信機またはディスプレイ等の映像音声再生装置が内部に保有するデータを意味し、ＥＤＩＤ情報を保有する映像音声再生装置が再生可能なフォーマットを定義している。
【００７９】
ＥＤＩＤ情報内に再生装置１５０が画面に表示可能または入力可能な映像フォーマットが“Detailed timing data descriptor”および“Short video descriptor”により記述されている。
【００８０】
図３は第１の実施の形態に係る再生装置が保有するフォーマット情報を簡略化して示す図である。本例のフォーマット情報は、映像フォーマットに関する情報である。再生装置１５０が音声フォーマットに関する情報を保有してもよい。
【００８１】
図３に示すように、ＥＤＩＤ情報は、画面の水平方向のピクセル数、画面の垂直方向のピクセル数、走査方式（プログレッシブ方式またはインターレース方式）、水平周波数および画面のアスペクト比を含む。
【００８２】
図３のＥＤＩＤ情報は、４８０ｉ、４８０ｐおよび１０８０ｉを含む。このＥＤＩＤ情報は、本実施の形態の再生装置１５０が４８０ｉ、４８０ｐおよび１０８０ｉの映像フォーマットを受信および再生可能であることを示している。また、音声フォーマット情報も、同様に、ＥＩＡ/ＣＥＡ-８６１Ｂ規格で定められたフォーマットで記載されている。
【００８３】
次に、ユーザの選局操作に従って入出力装置１００が選局処理を行うことによりフォーマットの切り替えが発生した場合における入出力装置１００および再生装置１５０の処理手順を説明する。
【００８４】
図４は入出力装置から再生装置に送信されるフォーマット情報の一例を示す模式図である。
【００８５】
図４のフォーマット情報は、水平ピクセル数、垂直ピクセル数、走査方式（プログレッシブ方式またはインターレース方式）、水平周波数および画面のアスペクト比を含む。本例では、７２０×４８０ピクセル、インターレース方式、６０Ｈｚおよび４：３の映像フォーマットで入出力装置１００から映像信号が出力されることが再生装置１５０に通知される。
【００８６】
なお、図４の例では、フォーマット情報が映像フォーマットを含むが、フォーマット情報が同様に音声フォーマットを含んでもよい。
【００８７】
本実施の形態においては、フォーマット情報はＨＤＭＩ接続のＣＥＣ信号線を通して入出力装置１００から再生装置１５０に送信される。その場合、図４のフォーマット情報は、ＨＤＭＩ規格におけるＣＥＣ通信に関して規定されたＣＥＣ規格における“Vendor Unique”コマンドを使用して通信することが可能である。
【００８８】
図５は第１の実施の形態に係る映像音声装置ネットワークにおける入出力装置および再生装置の処理手順を示すフローチャートである。
【００８９】
ここでは、選局操作によりフォーマットの切り替えが発生した場合に、入出力装置１００の通信部１０４から出力されるべきフォーマットが決定され、再生装置１５０にフォーマット情報が送信された後、映像音声信号が出力され、再生装置１５０により映像表示および音声出力が行われるまでの処理手順が示される。
【００９０】
まず、ユーザがリモコンまたはフロントパネルを用いた選局操作により入出力装置１００に選局処理を指示すると（イベントＥ１）、入出力装置１００の受信部１０１は選局処理を行う（ステップＳ５０１）。
【００９１】
受信部１０１には放送信号が入力される（イベントＥ２）。選局処理により所望のチャネルが選局されると、受信部１０１により放送信号からそのチャネルの周波数信号が抽出され、抽出された周波数信号から復調部１０２により映像音声信号およびその他の情報の取得が開始される。この場合、復調部１０２は、再生しようとする映像音声信号の取得の際に、その映像音声信号に対応するフォーマット情報を取得する（ステップＳ５０２）。
【００９２】
フォーマット決定部１０６は、フォーマット情報に基づいて、取得された映像音声信号のフォーマットを識別し、識別された映像音声信号のフォーマットが現在接続されている再生装置１５０により再生可能であるか否かを判定し、入出力装置１００から出力する映像音声信号のフォーマットを出力フォーマットとして決定する（ステップＳ５０３）。
【００９３】
この場合、フォーマット決定部１０６は、取得された映像音声信号のフォーマットが再生装置１５０により再生可能である場合には、取得された映像音声信号のフォーマットを変換せずにその映像音声信号を出力するように変換部１０３に指示し、取得された映像音声信号のフォーマットが再生装置１５０により再生不可能である場合には、取得された映像音声信号のフォーマットを再生装置１５０が再生可能なフォーマットに変換するように変換部１０３に指示する。
【００９４】
なお、フォーマット決定部１０６は、映像音声信号のフォーマットが再生装置１５０により再生可能であるか否かの判定の際に、再生装置１５０から取得したＥＤＩＤ情報または入出力装置１００に対するユーザ設定等の出力フォーマットに関する設定情報を補足情報として使用してもよい。
【００９５】
次に、出力フォーマット通信部１０７は、フォーマット決定部１０６により決定された出力フォーマットを示すフォーマット情報を通信部１０４を通して再生装置１５０に送信する（ステップＳ５０４）。
【００９６】
その後、入出力装置１００のＣＰＵ１０５は、変換部１０３の設定を切り替えることにより通信部１０４から出力される映像音声信号のフォーマットを図４のフォーマット情報に示される出力フォーマットに切り替える（ステップＳ５０５）。
【００９７】
一方、ステップＳ５０４で入出力装置１００からフォーマット情報が送信されると、再生装置１５０の入力フォーマット通信部１５３は通信部１５１を通してフォーマット情報を受信する。フォーマット切替部１５４は、フォーマット情報に基づいて表示部１５２の表示解像度および同期周波数等の再生設定を切り替える（ステップＳ５２０）。本実施の形態では、フォーマット切替部１５４は、図４に示されるフォーマット情報に表示部１５２の状態を一致させる。
【００９８】
再生装置１５０の再生設定の切り替えが完了すると、入力フォーマット通信部１５３は通信部１５１を通して入出力装置１００に再生設定切り替えが完了したことを示す再生設定切替完了通知を送信する（ステップＳ５２１）。
【００９９】
入出力装置１００のＣＰＵ１０５は、ステップＳ５０５における出力フォーマットの切り替えの完了およびステップＳ５２１における再生設定切替完了通知の受信を確認する（ステップＳ５０６）。
【０１００】
その後、通信部１０４は、映像音声信号の出力を開始する（ステップＳ５０７）。本実施の形態では、図２の通信部１０４のＨＤＭＩトランスミッタ２１１からＨＤＭＩ接続におけるＴＭＤＳ線に映像音声信号が出力される。
【０１０１】
再生装置１５０の通信部１５１が入出力装置１００から出力される映像音声信号を受信すると、表示部１５２が映像および音声の再生を開始する（ステップＳ５２２）。それにより、表示部１５２に映像が表示されるとともに表示部１５２から音声が出力される。
【０１０２】
以上のように、本実施の形態に係る映像音声装置ネットワークにおいて、入出力装置１００は、出力フォーマットを示すフォーマット情報を再生装置１５０に送信した後に出力フォーマットを切り替え、その後に再生装置１５０に映像音声信号を送信する。一方、再生装置１５０は、入出力装置１００からのフォーマット情報を受信したときに再生設定を切り替えた後、入出力装置１００からの映像音声信号を受信したときに直ちに映像および音声を再生することができる。
【０１０３】
したがって、入出力装置１００における映像音声信号のフォーマットの切り替わりの発生から短時間で再生装置１５０により視聴者に映像および音声を提示することが可能となる。
【０１０４】
特に、本実施の形態に係る映像音声装置ネットワークにおいては、ＨＤＭＩ接続におけるＣＥＣ線を用いてフォーマット情報を入出力装置１００から再生装置１５０に容易かつ迅速に送信することができる。
【０１０５】
このようにして、ユーザの利便性が高い映像音声装置ネットワークを構築することが可能となる。
【０１０６】
なお、本実施の形態では、映像音声信号の映像フォーマットおよび音声フォーマットの切り替わりが発生する場合について説明したが、映像信号の映像フォーマットのみが切り替わる場合にはフォーマット情報が映像フォーマットのみを含み、フォーマット切替部１５４が表示部１５２の表示設定のみを切り替える。また、音声信号の音声フォーマットのみが切り替わる場合にはフォーマット情報が音声フォーマットのみを含み、フォーマット切替部１５４が表示部１５２の音声設定のみを切り替える。
【０１０７】
また、本実施の形態では、ステップＳ５０４で選局処理が行われるごとに出カフォーマット通信部１０７が再生装置１５０に毎回フォーマット情報を通信するが、選局処理の前に取得されていた映像音声信号のフォーマットと選局処理後に取得された映像音声信号のフォーマットとが異なる場合にのみ出力フォーマット通信部１０７が再生装置１５０にフォーマット情報を送信してもよい。
【０１０８】
（２）第２の実施の形態
図６は本発明の第２の実施の形態に係る映像音声信号入出力装置および映像音声再生装置の構成を示すブロック図である。
【０１０９】
なお、本実施の形態においても、映像音声信号入出力装置７００を入出力装置７００と略記し、映像音声再生装置１５０を再生装置１５０と略記する。
【０１１０】
図６の入出力装置７００が図１の入出力装置１００と異なるのは、出力フォーマット記憶部（図６では出力ＦＭＴ記憶部と表示する）７０１をさらに含む点である。出力フォーマット記憶部７０１は、ＣＰＵ１０５に接続され、チャネルごとの出力フォーマットをフォーマット情報リストとして記憶する。より詳細には、出力フォーマット記憶部７０１は、入出力装置７００が選局可能なチャネルおよびメディアの各々について、以前にそのチャネルおよびメディアにおいて実際に出力された映像信号の映像フォーマットまたは音声信号の音声フォーマットをフォーマット情報リストとして記憶する。この出力フォーマット記憶部７０１を利用することにより高速な出力フォーマットの切り替えが実現される。
【０１１１】
なお、入出力装置７００の他の部分の構成および動作は、図１の入出力装置１００の対応する部分の構成および動作と同じであるので、図６において図１と同一部分に同一符号を付し、その説明を省略する。
【０１１２】
図７は出力フォーマット記憶部７０１に記憶されるフォーマット情報リストの一例を示す模式図である。
【０１１３】
図７の例では、フォーマット情報リストは、選局可能なチャネルの一覧を含み、チャネルごとに映像フォーマットおよび音声フォーマットを示すフォーマット情報を含む。映像フォーマットは、水平ピクセル数、垂直ピクセル数、走査方式（プログレッシブ方式またはインターレース方式）、水平周波数および画面のアスペクト比からなる。
【０１１４】
このフォーマット情報リストは、チャネルごとに前回の選局処理時に入出力装置７００から出力された映像音声信号のフォーマット情報を記憶することにより得られる。
【０１１５】
図８は第２の実施の形態に係る映像音声装置ネットワークにおける入出力装置および再生装置の処理手順を示すフローチャートである。
【０１１６】
ここでは、選局操作によりフォーマットの切り替えが発生した場合に、選局処理により得られる映像音声信号のフォーマットが予測され、入出力装置７００の通信部１０４から出力されるべきフォーマットが決定され、再生装置１５０にフォーマット情報が送信された後、映像音声信号が出力され、再生装置１５０により映像表示および音声出力が行われるまでの処理手順が示される。
【０１１７】
まず、ユーザがリモコンまたはフロントパネルを用いた選局操作により入出力装置７００に選局処理を指示すると（イベントＥ１）、ＣＰＵ１０５は出カフォーマット記憶部７０１に記憶されるフォーマット情報リストから選局操作により選択されたチャネルに対応するフォーマット情報をフォーマット予測データとして取り出す（ステップＳ８０１）。
【０１１８】
次に、出力フォーマット通信部１０７は、フォーマット予測データを通信部１０４を通して再生装置１５０に送信する（ステップＳ８０２）。この場合、出力フォーマット通信部１０７により送信されるフォーマット予測データは、第１の実施の形態における図４のフォーマット情報と同様の項目を有する。
【０１１９】
例えば、図７において、チャネル“００４”が選択される場合には、１９２０×１０８０ピクセル、インターレース方式、６０Ｈｚおよび１６：９の映像フォーマットを示すフォーマット予測データが入出力装置７００から再生装置１５０に送信される。
【０１２０】
この場合、該当するチャネルのフォーマット情報とともに、そのフォーマット情報がフォーマット予測データであることを示すパラメータが同時に送信される。例えば、フォーマット情報にフォーマット予測データであることを示すパラーメータが追記される。
【０１２１】
本実施の形態では、フォーマット予測データはＨＤＭＩ接続のＣＥＣ信号線を通して送信される。その場合、フォーマット予測データはＨＤＭＩ規格においてＣＥＣ通信に関して規定されたＣＥＣ規格における“Vendor Unique”コマンドを使用して送信することが可能である。
【０１２２】
なお、ステップＳ８０１において出力フォーマット記憶部７０１に記憶されたフォーマット情報リストに選択されたチャネル（例えば“００４”）に対応するフォーマット情報が存在しない場合、または入出力装置７００においてそのチャネル（例えば“００４”）が初めて選択された場合には、ステップＳ８０２の処理は行われない。
【０１２３】
一方、ステップＳ８０２で入出力装置７００からフォーマット予測データが送信されると、再生装置１５０の入力フォーマット通信部１５３は通信部１５１を通してフォーマット予測データを受信する。フォーマット切替部１５４は、フォーマット予測データに基づいて表示部１５２の再生設定事前切り替えを行う（ステップＳ８２０）。再生設定事前切り替えとは、フォーマット予測データに基づいて表示部１５２の再生設定を事前に切り替えることをいう。具体的には、表示部１５２の画面を一時的にミュートし、表示解像度の切り替えおよび同期周波数の変更等を行う。
【０１２４】
再生設定事前切り替えが完了すると、入力フォーマット通信部１５３は、通信部１５１を通して入出力装置７００に再生設定事前切り替えが完了したことを示す再生設定事前切替完了通知を送信する（ステップＳ８２１）。
【０１２５】
一方、入出力装置７００の受信部１０１は、ステップＳ８０２の処理の後、選局処理を行う（ステップＳ８０３）。
【０１２６】
受信部１０１には放送信号が入力される（イベントＥ２）。選局処理により所望のチャネルが選局されると、受信部１０１により放送信号からそのチャネルの周波数信号が抽出され、抽出された周波数信号から復調部１０２により映像音声信号およびその他の情報の取得が開始される。この場合、復調部１０２は、再生しようとする映像音声信号の取得の際に、その映像音声信号に対応するフォーマット情報を取得する（ステップＳ８０４）。
【０１２７】
フォーマット決定部１０６は、フォーマット情報に基づいて、取得された映像音声信号のフォーマットを識別し、識別された映像音声信号のフォーマットが現在接続されている再生装置１５０により再生可能であるか否かを判定し、入出力装置７００から出力する映像音声信号のフォーマットを出力フォーマットとして決定する（ステップＳ８０５）。
【０１２８】
この場合、フォーマット決定部１０６は、取得された映像音声信号のフォーマットが再生装置１５０により再生可能である場合には、取得された映像音声信号のフォーマットを変換せずにその映像音声信号を出力するように変換部１０３に指示し、取得された映像音声信号のフォーマットが再生装置１５０により再生不可能である場合には、取得された映像音声信号のフォーマットを再生装置１５０が再生可能なフォーマットに変換するように変換部１０３に指示する。
【０１２９】
なお、このフォーマット決定部１０６によるフォーマットの決定の方法は、第１の実施の形態と同様である。
【０１３０】
次に、出力フォーマット通信部１０７は、フォーマット決定部１０６により決定された出力フォーマットを示すフォーマット情報を再生装置１５０に送信する（ステップＳ８０６）。
【０１３１】
入出力装置７００からフォーマット情報が送信されると、再生装置１５０の入力フォーマット通信部１５３は、通信部１５１を通してフォーマット情報を受信する。フォーマット切替部１５４は、ステップＳ８０２で入出力装置７００から送信されたフォーマット予測データとステップＳ８０６で入出力装置７００から送信されたフォーマット情報とが一致しているか否かを確認する（ステップＳ８２２）。
【０１３２】
フォーマット予測データとフォーマット情報とが一致しない場合またはフォーマット予測データがない場合には、フォーマット切替部１５４は、フォーマット情報に基づいて表示部１５２の再生設定切り替えを行う（ステップＳ８２３）。
【０１３３】
フォーマット予測データとフォーマット情報とが一致した場合には、フォーマット切替部１５４は、ステップＳ８２３の処理を行わない。
【０１３４】
ステップＳ８２２の確認およびステップＳ８２３の再生設定切り替えが完了すると、入力フォーマット通信部１５３は、通信部１５１を通して入出力装置７００にフォーマット確認完了通知を送信する（ステップＳ８２４）。
【０１３５】
一方、ステップＳ８０６で出力フォーマット通信部１０７がフォーマット情報を再生装置１５０に送信した後、入出力装置７００のＣＰＵ１０５は、変換部１０３の設定を切り替えることにより通信部１０４から出力される映像音声信号のフォーマットを決定された出力フォーマットに切り替える（ステップＳ８０７）。
【０１３６】
次に、ＣＰＵ１０５は、ステップＳ８０６で再生装置１５０に送信したフォーマット情報を出力フォーマット記憶部７０１に記憶されるフォーマット情報リストの該当するチャネルの記憶領域に保存する（ステップＳ８０８）。
【０１３７】
次に、ＣＰＵ１０５は、ステップＳ８２１における再生設定事前切替完了通知およびステップＳ８２４におけるフォーマット確認完了通知の受信を確認する（ステップＳ８０９）。
【０１３８】
その後、通信部１０４は、映像音声信号の出力を開始する（ステップＳ８１０）。本実施の形態では、図２の通信部１５１のＨＤＭＩトランスミッタ２１１からＨＤＭＩ接続におけるＴＭＤＳ線に映像音声信号が出力される。
【０１３９】
再生装置１５０の通信部１５１が入出力装置７００から出力される映像音声信号を受信すると、表示部１５２が映像および音声の再生を開始する（ステップＳ８２５）。それにより、表示部１５２に映像が表示されるとともに表示部１５２から音声が出力される。
【０１４０】
以上のように、本実施の形態に係る映像音声装置ネットワークにおいて、入出力装置７００は、選局処理の前に予め記憶されたチャネルごとのフォーマット情報をフォーマット予測データとして再生装置１５０に送信し、再生装置１５０は、フォーマット予測データに基づいて再生設定を事前に切り替える。その後、入出力装置７００は、出力フォーマットを示すフォーマット情報を再生装置１５０に送信した後に出力フォーマットを切り替え、その後に再生装置１５０に映像音声信号を送信する。一方、再生装置１５０は、受信したフォーマット情報がフォーマット予測データと一致する場合には、入出力装置７００からの映像音声信号を受信したときに直ちに映像および音声を再生することができる。また、再生装置１５０は、受信したフォーマット情報がフォーマット予測データと一致しない場合には、フォーマット情報に基づいて再生設定を切り替えた後、入出力装置７００からの映像音声信号を受信したときに直ちに映像および音声を再生することができる。このようにして、再生装置１５０は再生設定の切り替えをより迅速に行うことができる。
【０１４１】
したがって、入出力装置７００における映像音声信号のフォーマットの切り替わりの発生から短時間で再生装置１５０により視聴者に映像および音声を提示することが可能となる。
【０１４２】
（３）他の実施の形態
第１および第２の実施の形態では、入出力装置が映像音声信号を取得するために放送電波が用いられるが、これに限定されず、入出力装置は、ＤＶＤ等のメディアに記録された映像音声信号を取得してもよく、あるいは、インターネット回線または無線通信等を用いて映像音声信号を取得してもよい。
【０１４３】
また、第１および第２の実施の形態では、一例としてＨＤＭＩ接続を用いた映像音声装置ネットワークおよびＣＥＣ線を用いた出力フォーマットの決定方法が説明されているが、本発明における入出力装置と再生装置との接続はＨＤＭＩ接続に限定されず、入出力装置と再生装置とが有線通信または無線通信により接続されてもよい。
【０１４４】
さらに、第１および第２の実施の形態では、視聴者が選局操作を行う例が説明されているが、これに限定されず、入出力装置が自動的に選局操作を行ってもよく、あるいは入出力装置に接続された外部機器からの通信等により選局操作が行われてもよい。
【０１４５】
また、本発明は、１つのチャネルの番組を視聴中にそのチャネルの映像音声信号のフォーマットが時間軸で切り替わった場合にも適用可能である。
【０１４６】
（４）請求項の各構成要素と実施の形態の各部との対応
以下、請求項の各構成要素と実施の形態の各部との対応の例について説明するが、本発明は下記の例に限定されない。
【０１４７】
上記実施の形態では、受信部１０１が受信部の例であり、復調部１０２が復調部の例であり、変換部１０３が変換部の例であり、フォーマット決定部１０６が決定部の例であり、通信部１０４および出力フォーマット通信部１０７が第１の通信部の例であり、ＣＰＵ１０５が制御部の例である。また、通信部１５１および入力フォーマット通信部１５３が第２の通信部の例であり、フォーマット切替部１５４が設定部の例であり、表示部１５２が再生部の例である。
【０１４８】
さらに、出力フォーマット記憶部７０１が記憶部の例であり、ＨＤＭＩトランスミッタ２１１が信号送信部の例であり、ＣＥＣ通信制御部２１２が情報送信部の例であり、ＨＤＭＩレシーバ２５１が信号受信部の例であり、ＣＥＣ通信制御部２５２が情報受信部の例である。
【産業上の利用可能性】
【０１４９】
本発明は、映像音声信号入出力装置における映像信号または音声信号のフォーマットの切り替わりの発生に応答して再生装置における再生設定を切り替える場合等に有効に利用することができる。
【図面の簡単な説明】
【０１５０】
【図１】図１は本発明の第１の実施の形態に係る映像音声信号入出力装置および映像音声再生装置の構成を示すブロック図
【図２】図２は第１の実施の形態に係る入出力装置と再生装置との具体的な接続方法を示すブロック図
【図３】図３は第１の実施の形態に係る再生装置が保有するフォーマット情報を簡略化して示す図
【図４】図４は入出力装置から再生装置に送信されるフォーマット情報の一例を示す模式図
【図５】図５は第１の実施の形態に係る映像音声装置ネットワークにおける入出力装置および再生装置の処理手順を示すフローチャート
【図６】図６は本発明の第２の実施の形態に係る映像音声信号入出力装置および映像音声再生装置の構成を示すブロック図
【図７】図７は出力フォーマット記憶部に記憶されるフォーマット情報リストの一例を示す模式図
【図８】図８は第２の実施の形態に係る映像音声装置ネットワークにおける入出力装置および再生装置の処理手順を示すフローチャート
【図９】図９は従来の映像音声信号入出力装置および映像音声再生装置におけるフォーマットの切替時の動作を示すフローチャート
【手続補正３】
【補正対象書類名】図面
【補正対象項目名】全図
【補正方法】変更
【補正の内容】
【図１】
2008069050.tif 000012
【図２】
2008069050.tif 000013
【図３】
2008069050.tif 000014
【図４】
2008069050.tif 000015
【図５】
2008069050.tif 000016
【図６】
2008069050.tif 000017
【図７】
2008069050.tif 000018
【図８】
2008069050.tif 000019
【図９】
2008069050.tif 000020
【国際調査報告】
2008069050.tif 000021
2008069050.tif 000022
2008069050.tif 000023
2008069050.tif 000024